(57)【要約】【課題】観察者が観察する虚像に高いコントラストを与えることができ、しかも、現実の環境において安全に行動し得る構成、構造を有する表示装置の初期設定方法を提供する。【解決手段】（Ａ）フレーム１１、（Ｂ）画像表示装置１００、及び、（Ｃ）外部から入射する外光の光量を調整する調光装置７００を備えており、画像表示装置１００は、画像形成装置１１１及び光学装置１２０を備えた表示装置の初期設定方法であって、画像形成装置から出射されたテストパターンに基づきテストパターンの虚像を光学装置の虚像形成領域に表示し、併せて、テストパターンの虚像に対応する調光装置の領域の遮光率を、調光装置の他の領域の遮光率よりも高い状態とし、観察者が観察したテストパターンの虚像と、観察者が観察した調光装置の遮光率が高い領域とが重なるように、テストパターンの虚像と調光装置の遮光率が高い領域とを相対的に移動させる。【選択図】  図１
2020160459.tif 000002
【特許請求の範囲】
【請求項１】
（Ａ）観察者の頭部に装着されるフレーム、
（Ｂ）フレームに取り付けられた画像表示装置、及び、
（Ｃ）外部から入射する外光の光量を調整する調光装置、
を備えた表示装置であって、
画像表示装置は、
（ａ）画像形成装置、及び、
（ｂ）画像形成装置から出射される光に基づき虚像が形成される虚像形成領域を有する光学装置、
を備えており、
光学装置の虚像形成領域は、調光装置と重なっており、
画像形成装置から出射される光に基づき、虚像形成領域の一部分において虚像が形成されるとき、調光装置への虚像の投影像が含まれる調光装置の虚像投影領域の遮光率が、調光装置の他の領域の遮光率よりも高くなるように、調光装置が制御される表示装置の初期設定方法であって、
画像形成装置から出射されたテストパターンに基づきテストパターンの虚像を光学装置の虚像形成領域に表示し、併せて、テストパターンの虚像に対応する調光装置の領域の遮光率を、調光装置の他の領域の遮光率よりも高い状態とし、
観察者が観察したテストパターンの虚像と、観察者が観察した調光装置の遮光率が高い領域とが重なるように、テストパターンの虚像と調光装置の遮光率が高い領域とを相対的に移動させる、表示装置の初期設定方法。
【請求項２】
テストパターンの虚像と調光装置の遮光率が高い領域とを相対的に移動させたときの移動量を基準として、光学装置における虚像の形成位置と調光装置の虚像投影領域の位置との位置関係を補正する請求項１に記載の表示装置の初期設定方法。
【請求項３】
併せて、調光装置の動作時の調光装置の他の領域の遮光率を決定する請求項１又は請求項２に記載の表示装置の初期設定方法。
【請求項４】
併せて、調光装置の動作時の調光装置の虚像投影領域の遮光率を決定する請求項１乃至請求項３のいずれか１項に記載の表示装置の初期設定方法。
【請求項５】
光学装置に形成される虚像に外接する仮想矩形を想定したとき、仮想矩形の横方向及び縦方向の長さをＬ1-T及びＬ1-Lとし、調光装置の虚像投影領域の形状を、横方向及び縦方向の長さがＬ2-T及びＬ2-Lの矩形形状としたとき、併せて、Ｌ2-T／Ｌ1-Tの値及びＬ2-L／Ｌ1-Lを決定する請求項１乃至請求項４のいずれか１項に記載の表示装置の初期設定方法。
【発明の詳細な説明】
【技術分野】
【０００１】
本開示は、表示装置に関し、より具体的には、頭部装着型ディスプレイ（ＨＭＤ，Head Mounted Display）に用いられる表示装置、及び、係る表示装置の初期設定方法に関する。
【背景技術】
【０００２】
近年、現実の環境（あるいはその一部）に付加情報としてバーチャルな物体や各種情報を電子情報として合成・提示する拡張現実技術（ＡＲ技術：Augmented Reality）が、注目を浴びている。この拡張現実技術を実現するために、視覚情報を提示する装置として、例えば、頭部装着型ディスプレイが検討されている。そして、応用分野として、現実の環境における作業支援が期待されており、例えば、道路案内情報の提供、メンテナンス等を行う技術者に対する技術情報提供等を挙げることができる。特に、頭部装着型ディスプレイは、手がふさがられることがないため、非常に便利である。また、屋外を移動しながら各種情報等を得る場合にも、視界に映像あるいは画像から構成された各種情報等と外部環境とを同時に捉えることができるため、スムーズな移動が可能となる。
【０００３】
画像形成装置によって形成された２次元画像を虚像光学系により拡大虚像として観察者に観察させるための虚像表示装置（表示装置）が、例えば、特開２００６−１６２７６７から周知である。
【０００４】
概念図を図３０に示すように、この画像表示装置１００’は、２次元マトリクス状に配列された複数の画素を備えた画像形成装置１１１、画像形成装置１１１の画素から出射された光を平行光とするコリメート光学系１１２、及び、コリメート光学系１１２にて平行光とされた光が入射され、導光され、出射される光学装置１２０を備えている。光学装置１２０は、入射された光が内部を全反射により伝播した後、出射される導光板１２１、導光板１２１に入射された光が導光板１２１の内部で全反射されるように、導光板１２１に入射された光を反射させる第１偏向手段１３０（例えば、１層の光反射膜から成る）、及び、導光板１２１の内部を全反射により伝播した光を導光板１２１から出射させる第２偏向手段１４０（例えば、多層積層構造を有する光反射多層膜から成る）から構成されている。そして、このような画像表示装置１００’によって、例えば、ＨＭＤを構成すれば、装置の軽量化、小型化を図ることができる。尚、図３０におけるその他の構成要素を示す参照番号に関しては、図１を参照して説明する実施例１の画像表示装置を参照のこと。
【０００５】
あるいは又、画像形成装置によって形成された２次元画像を虚像光学系により拡大虚像として観察者に観察させるために、ホログラム回折格子を用いた虚像表示装置（表示装置）が、例えば、特開２００７−０９４１７５から周知である。
【０００６】
概念図を図３１に示すように、この画像表示装置３００’は、基本的には、画像を表示する画像形成装置１１１と、コリメート光学系１１２と、画像形成装置１１１に表示された光が入射され、観察者の瞳２１へと導く光学装置３２０とを備えている。ここで、光学装置３２０は、導光板３２１と、導光板３２１に設けられた反射型体積ホログラム回折格子から成る第１回折格子部材３３０及び第２回折格子部材３４０を備えている。そして、コリメート光学系１１２には画像形成装置１１１の各画素から出射された光が入射され、コリメート光学系１１２によって導光板３２１へ入射する角度の異なる複数の平行光が生成され、導光板３２１に入射される。導光板３２１の第１面３２２から、平行光が入射され、出射される。一方、導光板３２１の第１面３２２と平行である導光板３２１の第２面３２３に、第１回折格子部材３３０及び第２回折格子部材３４０が取り付けられている。尚、図３１におけるその他の構成要素を示す参照番号に関しては、図１２を参照して説明する実施例３の画像表示装置を参照のこと。
【０００７】
そして、これらの画像表示装置１００’，３００’において画像に基づく虚像を形成することで、観察者は、外界の像と形成された虚像とを重畳して見ることができる。
【０００８】
ところで、画像表示装置１００’，３００’の置かれた周囲の環境が非常に明るい場合や、形成された虚像の内容に依っては、観察者が観察する虚像に十分なコントラストが与えられないといった問題が生じ得る。そこで、このような問題を解決する手段、即ち、調光装置を備えた虚像表示装置（表示装置）が、例えば、特開２０１２−２５２０９１から周知である。
【先行技術文献】
【特許文献】
【０００９】
【特許文献１】特開２００６−１６２７６７
【特許文献２】特開２００７−０９４１７５
【特許文献３】特開２０１２−２５２０９１
【発明の概要】
【発明が解決しようとする課題】
【００１０】
ここで、表示装置を使用する観察者が、外部環境を確実に認識しつつ、現実の環境において安全に行動し得ることが、表示装置には、屡々、要求される。
【００１１】
従って、本開示の第１の目的は、観察者が観察する虚像に高いコントラストを与えることができ、しかも、使用する観察者が、外部環境を確実に認識しつつ、現実の環境において安全に行動し得る構成、構造を有する表示装置を提供することにある。また、本開示の第２の目的は、係る表示装置の初期設定方法を提供することにある。
【課題を解決するための手段】
【００１２】
上記の第１の目的を達成するための本開示の表示装置は、
（Ａ）観察者の頭部に装着されるフレーム、
（Ｂ）フレームに取り付けられた画像表示装置、及び、
（Ｃ）外部から入射する外光の光量を調整する調光装置、
を備えた表示装置であって、
画像表示装置は、
（ａ）画像形成装置、及び、
（ｂ）画像形成装置から出射される光に基づき虚像が形成される虚像形成領域を有する光学装置、
を備えており、
光学装置の虚像形成領域は、調光装置と重なっており、
画像形成装置から出射される光に基づき虚像形成領域の一部分において虚像が形成されるとき、調光装置への虚像の投影像が含まれる調光装置の虚像投影領域の遮光率が、調光装置の他の領域の遮光率よりも高くなるように、調光装置が制御される。
【００１３】
上記の第２の目的を達成するための本開示の表示装置の初期設定方法は、
（Ａ）観察者の頭部に装着されるフレーム、
（Ｂ）フレームに取り付けられた画像表示装置、及び、
（Ｃ）外部から入射する外光の光量を調整する調光装置、
を備えた表示装置であって、
画像表示装置は、
（ａ）画像形成装置、及び、
（ｂ）画像形成装置から出射される光に基づき虚像が形成される虚像形成領域を有する光学装置、
を備えており、
光学装置の虚像形成領域は、調光装置と重なっており、
画像形成装置から出射される光に基づき虚像形成領域の一部分において虚像が形成されるとき、調光装置への虚像の投影像が含まれる調光装置の虚像投影領域の遮光率が、調光装置の他の領域の遮光率よりも高くなるように、調光装置が制御される表示装置の初期設定方法であって、
画像形成装置から出射されたテストパターンに基づきテストパターンの虚像を光学装置の虚像形成領域に表示し、併せて、テストパターンの虚像に対応する調光装置の領域の遮光率を、調光装置の他の領域の遮光率よりも高い状態とし、
観察者が観察したテストパターンの虚像と、観察者が観察した調光装置の遮光率が高い領域とが重なるように、テストパターンの虚像と調光装置の遮光率が高い領域とを相対的に移動させる。
【発明の効果】
【００１４】
本開示の表示装置にあっては、画像形成装置から出射される光に基づき虚像形成領域の一部分において虚像が形成されるとき、調光装置への虚像の投影像が含まれる調光装置の虚像投影領域の遮光率が調光装置の他の領域の遮光率よりも高くなるように調光装置が制御されるので、観察者が観察する虚像に高いコントラストを与えることができ、しかも、高遮光率の領域が狭いので、表示装置を使用する観察者は外部環境を、確実に、且つ、安全に認識することができる。本開示の表示装置の初期設定方法にあっては、観察者が観察したテストパターンの虚像と観察者が観察した調光装置の遮光率が高い領域とが重なるように、テストパターンの虚像と調光装置の遮光率が高い領域とを相対的に移動させるので、例えば、表示装置を使用する観察者が代わった場合にも、調光装置への虚像の投影像が含まれる調光装置の虚像投影領域の位置の初期化を確実に行うことができる。尚、本明細書に記載された効果はあくまで例示であって限定されるものでは無く、また、付加的な効果があってもよい。
【図面の簡単な説明】
【００１５】
【図１】図１は、実施例１の表示装置における画像表示装置の概念図である。
【図２】図２は、実施例１等の表示装置を上方から眺めた模式図である。
【図３】図３Ａ及び図３Ｂは、それぞれ、実施例１の表示装置を側方から眺めた模式図、及び、実施例１の表示装置における光学装置及び調光装置の部分を正面から眺めた模式図である。
【図４】図４Ａ及び図４Ｂは、実施例１の表示装置における調光装置の模式的な断面図、及び、光学装置及び調光装置の模式的な正面図である。
【図５】図５は、画像表示装置を構成する導光板における光の伝播状態を模式的に示す図である。
【図６】図６は、実施例１の表示装置における画像表示装置の変形例の概念図である。
【図７】図７は、観察者が眺める外界を示す図である。
【図８】図８Ａ及び図８Ｂは、調光装置への虚像の投影像が含まれる調光装置の虚像投影領域の遮光率が、調光装置の他の領域の遮光率よりも高くなるように、調光装置が制御される状態を示す図である。
【図９】図９Ａ、図９Ｂ及び図９Ｃは、調光装置の虚像投影領域の変化等を模式的に示す図である。
【図１０】図１０は、光学装置に形成される虚像に外接する仮想矩形と、調光装置の虚像投影領域の矩形形状とを、模式的に示す図である。
【図１１】図１１は、実施例２の表示装置における画像表示装置の概念図である。
【図１２】図１２は、実施例３の表示装置における画像表示装置の概念図である。
【図１３】図１３は、実施例３の表示装置における反射型体積ホログラム回折格子の一部を拡大して示す模式的な断面図である。
【図１４】図１４は、実施例４の表示装置における画像表示装置の概念図である。
【図１５】図１５は、実施例５の表示装置を正面から眺めた模式図である。
【図１６】図１６は、実施例５の表示装置を上方から眺めた模式図である。
【図１７】図１７は、実施例６の表示装置を上方から眺めた模式図である。
【図１８】図１８Ａ及び図１８Ｂは、それぞれ、実施例７の表示装置を上方から眺めた模式図、及び、照度センサを制御する回路の模式図である。
【図１９】図１９Ａ及び図１９Ｂは、それぞれ、実施例８の表示装置を上方から眺めた模式図、及び、照度センサを制御する回路の模式図である。
【図２０】図２０は、実施例９の表示装置における画像表示装置の概念図である。
【図２１】図２１は、実施例９の表示装置を上方から眺めた模式図である。
【図２２】図２２は、実施例９の表示装置を側方から眺めた模式図である。
【図２３】図２３は、実施例９の表示装置の変形例における画像表示装置の概念図である。
【図２４】図２４は、実施例９の表示装置の別の変形例における画像表示装置の概念図である。
【図２５】図２５は、実施例９の表示装置の更に別の変形例における画像表示装置の概念図である。
【図２６】図２６Ａ及び図２６Ｂは、それぞれ、実施例１２において、表示装置を使用する観察者が代わった場合、調光装置への虚像の投影像が含まれる調光装置の虚像投影領域の位置に変化が生じる状態を模式的に示す図、及び、テストパターンを模式的に示す図である。
【図２７】図２７Ａ及び図２７Ｂは、実施例６の表示装置の変形例における光学装置を上から眺めた模式図である。
【図２８】図２８Ａ及び図２８Ｂは、それぞれ、実施例６の表示装置の別の変形例における光学装置を上から眺めた模式図、及び、横から眺めた模式図である。
【図２９】図２９は、実施例３〜実施例４の表示装置の変形例における画像表示装置の概念図である。
【図３０】図３０は、従来の表示装置における画像表示装置の概念図である。
【図３１】図３１は、従来の表示装置の変形例における画像表示装置の概念図である。
【発明を実施するための形態】
【００１６】
以下、図面を参照して、実施例に基づき本開示を説明するが、本開示は実施例に限定されるものではなく、実施例における種々の数値や材料は例示である。尚、説明は、以下の順序で行う。
１．本開示の表示装置及び本開示の表示装置の初期設定方法、全般に関する説明
２．実施例１（本開示の表示装置及び本開示の表示装置の初期設定方法）
２．実施例１（本開示の表示装置、第１−Ａ構造の光学装置、第１構成の画像形成装置）
３．実施例２（実施例１の表示装置の変形、第１−Ａ構造の光学装置、第２構成の画像形成装置）
４．実施例３（実施例１の表示装置の別の変形、第１−Ｂ構造の光学装置、第１構成の画像形成装置）
５．実施例４（実施例１の表示装置の更に別の変形、第１−Ｂ構造の光学装置、第２構成の画像形成装置）
６．実施例５（実施例１〜実施例４の変形）
７．実施例６（実施例１〜実施例４の別の変形、第２構造の光学装置、第２構成の画像形成装置）
８．実施例７（実施例１〜実施例６の変形）
９．実施例８（実施例１〜実施例６の別の変形）
１０．実施例９（実施例１〜実施例８の変形）
１１．実施例１０（実施例１〜実施例９の変形）
１２．実施例１１（実施例１０の変形）
１３．実施例１２（本開示の表示装置の初期設定方法）
１４．その他
【００１７】
〈本開示の表示装置及び本開示の表示装置の初期設定方法、全般に関する説明〉
本開示の表示装置において、「調光装置への虚像の投影像」とは、具体的には、観察者が虚像を眺めたときの（即ち、観察者の瞳を基準とした）調光装置への虚像の投影像（即ち、虚像の背景）を意味する。本開示の表示装置の初期設定方法において、テストパターンは、本質的に任意の形状とすることができるが、具体的には、例えば、光学装置の虚像形成領域の中央部及び四隅に表示される文字や記号を例示することができる。また、テストパターンの虚像と調光装置の遮光率が高い領域とを相対的に移動させるが、具体的には、光学装置におけるテストパターンの虚像の位置を画素単位で移動させるように、テストパターンの画像信号を処理してもよいし、調光装置の遮光率が変化する最小単位領域（後述する）を移動単位として調光装置の遮光率が高い領域を移動させる処理としてもよいし、これらの処理を組み合わせてもよい。テストパターンの虚像と調光装置の遮光率が高い領域とを相対的に移動させるためには、観察者が手動にて操作を行えばよい。具体的には、観察者がスイッチやボタン、ダイアル、スライダ、ノブ等を操作することで手動にて行うことができる。相対的な移動には、後述するＸ軸方向への移動、Ｙ軸方向への移動、回転移動、拡大、縮小、変形が含まれる。調光装置において、虚像投影領域の位置は固定されたものでなく、虚像の位置に依存して変化するし、また、虚像投影領域の数も、虚像の数に依存して変化する。
【００１８】
本開示の表示装置の初期設定方法にあっては、テストパターンの虚像と調光装置の遮光率が高い領域とを相対的に移動させたときの移動量を基準として、光学装置における虚像の形成位置と調光装置の虚像投影領域の位置との位置関係を補正する形態とすることができる。具体的には、光学装置におけるテストパターンの虚像の位置を画素単位で移動させるようにテストパターンの画像信号を処理したときの画像信号処理量に基づき、あるいは、最小単位領域を移動単位として調光装置の遮光率が高い領域を移動させる処理に基づき、あるいは、これらの処理の組合せに基づき、光学装置における虚像の形成位置と調光装置の虚像投影領域の位置との位置関係を補正すればよい。即ち、光学装置における虚像の形成位置を固定し、調光装置の虚像投影領域の位置を移動させてもよいし、調光装置の虚像投影領域の位置を固定し、光学装置における虚像の形成位置を移動させてもよいし、これらを組み合わせてもよい。
【００１９】
上記の好ましい形態を含む本開示の表示装置の初期設定方法にあっては、併せて、調光装置の動作時の調光装置の他の領域の遮光率を決定する形態とすることができる。尚、この遮光率は、観察者が決定した一種の初期値である。
【００２０】
更には、以上に説明した各種好ましい形態を含む本開示の表示装置の初期設定方法にあっては、併せて、調光装置の動作時の調光装置の虚像投影領域の遮光率を決定する形態とすることができる。尚、この遮光率は、観察者が決定した一種の初期値である。そして、この遮光率の値を、一定のままとしてもよいし、後述するように表示装置の置かれた環境の照度に依存して変化させてもよい。
【００２１】
更には、以上に説明した各種好ましい形態を含む本開示の表示装置の初期設定方法にあっては、光学装置に形成される虚像に外接する仮想矩形を想定したとき、仮想矩形の横方向及び縦方向の長さをＬ1-T及びＬ1-Lとし、調光装置の虚像投影領域の形状を、横方向及び縦方向の長さがＬ2-T及びＬ2-Lの矩形形状としたとき、併せて、Ｌ2-T／Ｌ1-Tの値及びＬ2-L／Ｌ1-Lを決定する形態とすることができる。この決定は、観察者によって行われる。
【００２２】
以上に説明した各種好ましい形態を含む本開示の表示装置の初期設定方法における表示装置、あるいは、本開示の表示装置（以下、これらを総称して、『本開示の表示装置等』と呼ぶ場合がある）において、調光装置の動作時、調光装置の他の領域の遮光率は、調光装置への虚像の投影像が含まれる調光装置の虚像投影領域の遮光率を「１」としたとき、例えば、０．９５以下であることが好ましい。あるいは又、調光装置の他の領域の遮光率は、例えば、３０％以下であることが好ましい。
【００２３】
上記の好ましい形態を含む本開示の表示装置等において、調光装置の動作時、調光装置の虚像投影領域の遮光率は、例えば、３５％乃至９９％であることが好ましい。虚像投影領域の遮光率は、一定であってもよいし、表示装置の置かれた環境の照度に依存して変化させてもよい。後者の場合、観察者の操作によって虚像投影領域の遮光率を変化させてもよいし、後述するように、表示装置は、表示装置の置かれた環境の照度を測定する照度センサ（環境照度測定センサ）を更に備えており、照度センサ（環境照度測定センサ）の測定結果に基づき、調光装置の遮光率を制御する形態とすることもできる。
【００２４】
更には、以上に説明した各種好ましい形態を含む本開示の表示装置等にあっては、画像形成装置から出射された光に基づき光学装置に虚像が形成される前に、調光装置の虚像投影領域の遮光率が増加される形態とすることができる。調光装置の虚像投影領域の遮光率が増加されてから虚像が形成されるまでの時間として、０．５秒乃至３０秒を例示することができるが、この値に限定するものではない。このように、予め、虚像が光学装置のどの位置に、いつ、形成されるかを観察者は知ることができるので、観察者の虚像視認性の向上を図ることができる。調光装置の虚像投影領域の遮光率は、時間の経過に従い、順次、増加する形態とすることができる。即ち、所謂フェードイン状態とすることができる。
【００２５】
更には、以上に説明した各種好ましい形態を含む本開示の表示装置等にあっては、画像形成装置から出射された光に基づき光学装置に一の虚像が形成され、次いで、一の虚像と異なる次の虚像が形成されるときであって、一の虚像に対応する調光装置の虚像投影領域の面積をＳ1、次の虚像に対応する調光装置の虚像投影領域の面積をＳ2としたとき、
Ｓ2／Ｓ1＜０．８、又は、１＜Ｓ2／Ｓ1の場合、次の虚像が形成される調光装置の虚像投影領域は、調光装置への次の虚像の投影像が含まれる調光装置の領域であり、
０．８≦Ｓ2／Ｓ1≦１の場合、次の虚像が形成される調光装置の虚像投影領域は、調光装置への一の虚像の投影像が含まれた調光装置の領域である形態とすることができる。即ち、一の虚像の形成から次の虚像の形成において、虚像投影領域の面積が０％減乃至２０％減の場合には、一の虚像に対応した虚像投影領域を保持する形態とすることができる。
【００２６】
更には、以上に説明した各種好ましい形態を含む本開示の表示装置等にあっては、光学装置に形成される虚像に外接する仮想矩形を想定したとき、調光装置の虚像投影領域は、仮想矩形よりも大きい構成とすることができる。そして、この場合、光学装置に形成される虚像に外接する仮想矩形の横方向及び縦方向の長さをＬ1-T及びＬ1-Lとし、調光装置の虚像投影領域の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足することが好ましい。
【００２７】
虚像が形成されていない場合、調光装置全体の遮光率を、調光装置の他の領域の遮光率と同じ値とすればよい。虚像の形成が終了し、虚像が消滅したとき、調光装置への虚像の投影像が含まれていた調光装置の虚像投影領域の遮光率を、直ちに、調光装置の他の領域の遮光率と同じ値としてもよいが、経時的に（例えば、３秒間で）調光装置の他の領域の遮光率と同じ値となるように制御してもよい。即ち、所謂フェードアウト状態とすることができる。
【００２８】
尚、横方向、縦方向とは、水平方向、垂直方向を意味し、あるいは又、後述するＸ軸方向、Ｙ軸方向を意味する。通常、光学装置に文字列から成る虚像を形成する場合、文字列の高さ（垂直方向あるいはＹ軸方向の長さ）よりも高い領域を虚像が形成される領域とする。具体的には、複数行の文字列から成る虚像を光学装置に形成する場合、適切な行間を設定する。この行間に相当する画素数（あるいは、例えば、行間の１／２，１／３等に相当する画素数）と文字列の高さに相当する画素数を加えた値を、仮想矩形の縦方向の長さＬ1-Lとすればよい。また、文字列から成る虚像を光学装置に形成する場合、文字と文字との間には隙間が存在する。この隙間に相当する画素数の整数倍の画素数を、文字列に相当する画素数の右側及び左側（あるいは前後）に加えた値を、仮想矩形の横方向の長さＬ1-Tとすればよい。
【００２９】
更には、以上に説明した各種好ましい形態を含む本開示の表示装置等において、調光装置は、
第１基板、
第１基板と対向する第２基板、
第２基板と対向する第１基板の対向面に設けられた第１透明電極、
第１基板と対向する第２基板の対向面に設けられた第２透明電極、及び、
第１透明電極と第２透明電極とによって挟まれた調光層、
から成る形態とすることができる。そして、この場合、
第１透明電極は、第１の方向に延びる複数の帯状の第１透明電極セグメントから構成されており、
第２透明電極は、第１の方向とは異なる第２の方向に延びる複数の帯状の第２透明電極セグメントから構成されており、
第１透明電極セグメントと第２透明電極セグメントの重複領域（調光装置の遮光率が変化する最小単位領域）に対応する調光装置の部分の遮光率の制御は、第１透明電極セグメント及び第２透明電極セグメントに印加する電圧の制御に基づき行われる形態とすることができる。即ち、遮光率の制御を単純マトリクス方式に基づき行うことができる。第１の方向と第２の方向とは直交している形態を例示することができる。
【００３０】
あるいは又、調光装置の遮光率が変化する最小単位領域の遮光率の制御のために、最小単位領域のそれぞれに薄膜トランジスタ（ＴＦＴ）を設けてもよい。即ち、遮光率の制御をアクティブマトリクス方式に基づき行ってもよい。
【００３１】
光学装置における虚像形成領域の横方向の画素数をＭ0、縦方向の画素数をＮ0としたとき、調光装置の遮光率が変化する最小単位領域の数Ｍ1×Ｎ1は、Ｍ0＝Ｍ1，Ｎ0＝Ｎ1であってもよいし、Ｍ1／Ｍ0＝ｋ，Ｎ1／Ｎ0＝ｋ’としたとき（但し、ｋ，ｋ’は正の整数）、１．１≦ｋ、好ましくは１．１≦ｋ≦１．５、より好ましくは１．１５≦ｋ≦１．３、１．１≦ｋ’、好ましくは１．１≦ｋ’≦１．５、より好ましくは１．１５≦ｋ’≦１．３を満足することが望ましい。ｋの値とｋ’の値とは、同じであってもよいし、異なっていてもよい。
【００３２】
以上に説明した各種好ましい形態、構成を含む本開示の表示装置等において、フレームは、観察者の正面に配置されるフロント部、フロント部の両端に蝶番を介して回動自在に取り付けられた２つのテンプル部、及び、ノーズパッドを備えており；調光装置はフロント部に配設されている形態とすることができる。また、光学装置は調光装置に取り付けられている形態とすることができる。尚、光学装置は、密着した状態で調光装置に取り付けられていてもよいし、隙間を開けた状態で調光装置に取り付けられていてもよい。更には、これらの場合、フロント部はリムを有し；調光装置はリムに嵌め込まれている形態とすることができる。あるいは又、第１基板及び第２基板の少なくとも一方を、例えば、フレームに取り付けてもよい。但し、これらに限定するものではない。また、以上に説明した種々の好ましい形態、構成を含む本開示の表示装置等において、観察者側から、光学装置、調光装置の順に配してもよいし、調光装置、光学装置の順に配してもよい。
【００３３】
本開示の表示装置等にあっては、画像形成装置において画像を表示するための信号に基づき、調光装置の虚像投影領域の大きさ及び位置を決定する。調光装置の大きさは、光学装置と同じ大きさでもよいし、大きくてもよいし、小さくともよい。調光装置の射影像内に虚像形成領域が位置していればよい。調光装置を構成する一方の基板が光学装置の構成部材を兼ねる構成とすれば、表示装置全体の重量の減少を図ることができ、表示装置の使用者に不快感を感じさせる虞が無い。尚、他方の基板は一方の基板よりも薄い構成とすることが好ましい。
【００３４】
更には、以上に説明した各種好ましい形態、構成を含む本開示の表示装置等において、光学装置は、
（ｂ−１）画像形成装置から入射された光が内部を全反射により伝播した後、観察者に向けて出射される導光板、
（ｂ−２）導光板に入射された光が導光板の内部で全反射されるように、導光板に入射された光を偏向させる第１偏向手段、及び、
（ｂ−３）導光板の内部を全反射により伝播した光を導光板から出射させるために、導光板の内部を全反射により伝播した光を複数回に亙り偏向させる第２偏向手段、
を備えており、
第２偏向手段によって光学装置の虚像形成領域が構成される形態とすることができる。ここで、このような光学装置を、便宜上、『第１構造の光学装置』と呼ぶ。尚、「全反射」という用語は、内部全反射、あるいは、導光板内部における全反射を意味する。調光装置の射影像内に第２偏向手段（虚像形成領域）が位置する。調光装置を構成する基板の一方によって、第２偏向手段、あるいは、第１偏向手段及び第２偏向手段は被覆されている形態とすることができる。
【００３５】
本開示の表示装置等において、表示装置の置かれた環境の照度を測定する照度センサ（環境照度測定センサ）を更に備えており；照度センサ（環境照度測定センサ）の測定結果に基づき、調光装置の遮光率を制御する形態とすることができる。あるいは又、表示装置の置かれた環境の照度を測定する照度センサ（環境照度測定センサ）を更に備えており；照度センサ（環境照度測定センサ）の測定結果に基づき、画像形成装置によって形成される画像の輝度を制御する形態とすることができる。これらの形態を組み合わせてもよい。
【００３６】
あるいは又、外部環境から調光装置を透過した光に基づく照度を測定する第２の照度センサ（便宜上、『透過光照度測定センサ』と呼ぶ場合がある）を更に備えており；第２の照度センサ（透過光照度測定センサ）の測定結果に基づき、調光装置の遮光率を制御する形態とすることができる。あるいは又、外部環境から調光装置を透過した光に基づく照度を測定する第２の照度センサ（透過光照度測定センサ）を更に備えており；第２の照度センサ（透過光照度測定センサ）の測定結果に基づき、画像形成装置によって形成される画像の輝度を制御する形態とすることができる。尚、第２の照度センサ（透過光照度測定センサ）は、光学装置よりも観察者側に配置されている形態とすることが望ましい。第２の照度センサ（透過光照度測定センサ）を、少なくとも２つ、配置し、高遮光率の部分を通過した光に基づく照度の測定、低遮光率の部分を通過した光に基づく照度の測定を行ってもよい。これらの形態を組み合わせてもよい。更には、これらの形態と、上記の照度センサ（環境照度測定センサ）の測定結果に基づき制御を行う形態とを組み合わせてもよい。
【００３７】
照度センサ（環境照度測定センサ、透過光照度測定センサ）は、周知の照度センサから構成すればよいし、照度センサの制御は周知の制御回路に基づき行えばよい。
【００３８】
調光装置の最高光透過率は５０％以上であり、調光装置の最低光透過率は３０％以下である構成とすることができる。尚、調光装置の最高光透過率の上限値として９９％を挙げることができるし、調光装置の最低光透過率の下限値として１％を挙げることができる。ここで、
（光透過率）＝１−（遮光率）
の関係にある。
【００３９】
場合によっては、調光装置を通過する光は、調光装置によって所望の色に着色される構成とすることができる。そして、この場合、調光装置によって着色される色は可変である形態とすることができるし、あるいは又、調光装置によって着色される色は固定である形態とすることができる。尚、前者の場合、例えば、赤色に着色される調光装置と、緑色に着色される調光装置と、青色に着色される調光装置とを積層する形態とすればよい。また、後者の場合、調光装置によって着色される色として、限定するものではないが、茶色を例示することができる。
【００４０】
更には、場合によっては、調光装置が着脱自在に配設されている形態とすることができる。調光装置を着脱自在に配設するためには、例えば、透明なプラスチックから作製されたビスを用いて調光装置を例えばフレームに取り付け、あるいは又、フレームに溝を切っておき、この溝に調光装置を係合させ、あるいは又、フレームに磁石を取り付けることで調光装置をフレームに取り付けることができるし、フレームにスライド部を設け、このスライド部に調光装置を嵌め込んでもよい。また、調光装置にコネクタを取り付け、調光装置の遮光率（光透過率）を制御するための制御回路（例えば、画像形成装置を制御するための制御装置に含まれている）にこのコネクタ及び配線を介して調光装置を電気的に接続すればよい。調光装置を湾曲させてもよい。
【００４１】
調光装置は、無機又は有機のエレクトロクロミック材料の酸化還元反応によって発生する物質の色変化を応用した光シャッタから成る形態とすることができる。具体的には、調光層は無機又は有機のエレクトロクロミック材料を含む形態とすることができ、更には、調光層は、第２透明電極側から、ＷＯ3層／Ｔａ2Ｏ5層／ＩｒXＳｎ1-XＯ層といった無機エレクトロクロミック材料層の積層構造、あるいは又、ＷＯ3層／Ｔａ2Ｏ5層／ＩｒＯx層といった無機エレクトロクロミック材料層の積層構造を有する形態とすることができる。ＷＯ3層の代わりに、ＭｏＯ3層やＶ2Ｏ5層を用いることができる。また、ＩｒＯx層の代わりに、ＺｒＯ2層、リン酸ジルコニウム層を用いることができるし、あるいは又、プルシアンブルー錯体／ニッケル置換プルシアンブルー錯体等を用いることもできる。有機のエレクトロクロミック材料として、例えば、特開２０１４−１１１７１０号公報や特開２０１４−１５９３８５号公報に開示されたエレクトロクロミック材料を用いることもできる。あるいは又、第１透明電極及び第２透明電極を設け、第１のエレクトロクロミック材料層と第２のエレクトロクロミック材料層とが、第１透明電極と第２透明電極との間に挟まれた構造とする。第１のエレクトロクロミック材料層は、例えば、プルシアンブルー錯体から構成され、第２のエレクトロクロミック材料層は、例えば、ニッケル置換プルシアンブルー錯体から構成されている。
【００４２】
あるいは又、調光装置は、帯電した多数の電気泳動粒子及び電気泳動粒子とは異なる色の分散媒から構成された電気泳動分散液によって構成される光シャッタ、金属（例えば、銀粒子）の可逆的な酸化還元反応によって発生する電着・解離現象を応用した電着方式（エレクトロデポジション・電界析出）による光シャッタ、即ち、調光層は金属イオンを含む電解質を含む形態とすることもできる。あるいは又、エレクトロウェッティング現象によって遮光率（光透過率）を制御する光シャッタを用いることもできる。更には、調光装置を、調光層が液晶材料層から成る光シャッタから構成することができ、具体的には、調光層を構成する材料として、限定するものではないが、ＴＮ（ツイステッド・ネマチック）型液晶材料、ＳＴＮ（スーパー・ツイステッド・ネマチック）型液晶材料を例示することができる。
【００４３】
ここで、電気泳動分散液は、帯電した多数の電気泳動粒子、及び、電気泳動粒子とは異なる色の分散媒から構成される。例えば、第１透明電極にパターニングを施し、第２透明電極にはパターニングを施さない場合（所謂ベタ電極構成）であって、電気泳動粒子を負に帯電させた場合、第１透明電極に相対的に負の電圧を印加し、第２透明電極に相対的に正の電圧を印加すると、負に帯電している電気泳動粒子は第２透明電極を覆うように泳動する。従って、調光装置における遮光率は高い値となる。一方、これとは逆に、第１透明電極に相対的に正の電圧を印加し、第２透明電極に相対的に負の電圧を印加すると、電気泳動粒子は第１透明電極を覆うように泳動する。従って、調光装置における遮光率は低い値となる。このような透明電極への印加を適切に行うことで、調光装置における遮光率の制御を行うことができる。電圧は直流であってもよいし、交流であってもよい。パターニングされた第１透明電極の形状は、電気泳動粒子が第１透明電極を覆うように泳動し、調光装置における遮光率が低い値となったとき、調光装置における遮光率の値の最適化を図れるような形状とすればよく、種々の試験を行い決定すればよい。必要に応じて、透明電極の上に絶縁層を形成してもよい。係る絶縁層を構成する材料として、例えば、無色透明な絶縁性樹脂を挙げることができ、具体的には、例えば、アクリル樹脂、エポキシ樹脂、フッ素樹脂、シリコーン樹脂、ポリイミド樹脂、ポリスチレン樹脂等を挙げることができる。
【００４４】
電気泳動分散液における分散液（分散媒）に対する電気泳動粒子の割合として、分散液（分散媒）１００質量部に対して、電気泳動粒子、０．１質量部乃至１５質量部、好ましくは、１質量部乃至１０質量部を例示することができる。電気泳動粒子を分散させる分散液（分散媒）として、高絶縁性を有し、無色透明な液体、具体的には非極性分散媒、より具体的には、脂肪族炭化水素、芳香族炭化水素、ハロゲン化炭化水素、シリコーンオイル等を挙げることができる。ここで、脂肪族炭化水素として、ペンタン、ヘキサン、シクロヘキサン、ヘプタン、オクタン、ノナン、デカン、ドデカン、リグロイン、ソルベントナフサ、ケロシン、ノルマルパラフィン、イソパラフィン等を挙げることができる。また、芳香族炭化水素として、ベンゼン、トルエン、キシレン、アルキルベンゼン等を挙げることができる。シリコーンオイルとして、変成シリコーンオイルを含む各種ジメチルポリシロキサンを挙げることができる。より具体的には、エクソンモービル有限会社社製のアイソパーＧ、Ｈ、Ｌ、Ｍ、エクソールＤ３０、Ｄ４０、Ｄ８０、Ｄ１１０、Ｄ１３０、出光石油化学株式会社製のＩＰソルベント１６２０、２０２８、２８３５、シェルケミカルズジャパン株式会社製のシェルゾール７０、７１、７２、Ａ、ＡＢ、日本石油株式会社製のナフテゾルＬ、Ｍ、Ｈ等を挙げることができる。尚、これらを単独、又は、２種以上を混合して用いることができる。
【００４５】
電気泳動分散液をマイクロカプセルに閉じ込める構造を採用してもよい。マイクロカプセルは、界面重合法、その場重合法（ｉｎ−ｓｉｔｕ重合法）、コアセルベーション法等の周知の方法で得ることができる。マイクロカプセルを構成する材料には光を十分に透過させる特性が要求され、具体的には、尿素−ホルムアルデヒド樹脂、メラミン−ホルムアルデヒド樹脂、ポリエステル樹脂、ポリウレタン樹脂、ポリアミド樹脂、ポリエチレン樹脂、ポリスチレン樹脂、ポリビニルアルコール樹脂、ゼラチン、あるいは、これらの共重合体等を例示することができる。マイクロカプセルを基板上に配置する方法は、特に制限されず、例えば、インクジェット方式を挙げることができる。尚、基板上に配置されたマイクロカプセルの位置ずれを防止する目的で、マイクロカプセルを光透過性の樹脂バインダーを用いて基板上に固定してもよい。光透過性の樹脂バインダーとして、水溶性のポリマー、具体的には、例えば、ポリビニルアルコール、ポリウレタン、ポリエステル、アクリル樹脂、シリコーン樹脂等を挙げることができる。
【００４６】
電気泳動粒子には帯電制御剤を用いる必要は特に無いが、電気泳動粒子を正に帯電させるために正帯電制御剤を用いる場合、正帯電制御剤として、例えば、ニグロシンベースＥＸ（オリエント化学工業社製）等のニグロシン系染料、Ｐ−５１（オリエント化学工業株式会社製）、コピーチャージＰＸ ＶＰ４３５（ヘキストジャパン株式会社製）等の第４級アンモニウム塩、アルコキシ化アミン、アルキルアミド、モリブデン酸キレート顔料、ＰＬＺ１００１（四国化成工業株式会社製）等のイミダゾール化合物、透明又は白色のオニウム化合物等を挙げることができる。尚、オニウム化合物としては、第１級から第４級まで、自由に選択可能であり、アンモニウム化合物、スルホニウム化合物、ホスホニウム化合物より選ばれ、例えば、窒素、硫黄あるいはリン原子に結合している置換基は、アルキル基又はアリール基であり、塩としては、塩素に代表されるハロゲン系元素やヒドロキシ基、カルボン酸基等がカウンターイオンとして好適であるが、これらに限定されるものでない。中でも第１級から第３級アミン塩や第４級アンモニウム塩が特に好ましい。電気泳動粒子を負に帯電させるために負帯電制御剤を用いる場合、負帯電制御剤として、例えば、ボントロンＳ−２２、ボントロンＳ−３４、ボントロンＥ−８１、ボントロンＥ−８４（以上、オリエント化学工業株式会社製）、スピロンブラックＴＲＨ（保土谷化学工業株式会社製）等の金属錯体、チオインジゴ系顔料、コピーチャージＮＸＶＰ４３４（ヘキストジャパン株式会社製）等の第４級アンモニウム塩、ボントロンＥ−８９（オリエント化学工業株式会社製）等のカリックスアレーン化合物、ＬＲ１４７（日本カーリット株式会社製）等のホウ素化合物、フッ化マグネシウム、フッ化カーボン等のフッ素化合物、ステアリン酸アルミニウム、ステアリン酸カルシウム、ラウリン酸アルミニウム、ラウリン酸バリウム、オレイン酸ソーダ、オクチル酸ジルコニウム、ナフテン酸コバルト等の公知の金属石鹸や、アジン化合物のサリチル酸系金属錯体及びフェノール系縮合物を挙げることができる。帯電制御剤の添加量として、電気泳動粒子１００質量部に対して、１００質量部乃至３００質量部を挙げることができる。
【００４７】
電気泳動分散液を構成する分散液（分散媒）として、ソルビタン脂肪酸エステル（例えば、ソルビタンモノオレエート、ソルビタンモノラウレート、ソルビタンセスキオレエート、ソルビタントリオレエート等）；ポリオキシエチレンソルビタン脂肪酸エステル（例えば、ポリオキシエチレンソルビタンモノステアレート、ポリオキシエチレンソルビタンモノオレエート等）；ポリエチレングリコール脂肪酸エステル（例えば、ポリオキシエチレンモノステアレート、ポリエチレングリコールジイソステアレート等）；ポリオキシエチレンアルキルフェニルエーテル（例えば、ポリオキシエチレンノニルフェニルエーテル、ポリオキシエチレンオクチルフェニルエーテル等）；脂肪族ジエタノールアミド系等のノニオン系界面活性剤を用いることができる。また、高分子系分散剤として、例えば、スチレン−マレイン酸樹脂、スチレン−アクリル樹脂、ロジン、ウレタン系高分子化合物ＢＹＫ−１６０、１６２、１６４、１８２（ビックケミー社製）、ウレタン系分散剤ＥＦＫＡ−４７、ＬＰ−４０５０（ＥＦＫＡ社製）、ポリエステル系高分子化合物ソルスパース２４０００（ゼネカ社製）、脂肪族ジエタノールアミド系高分子化合物ソルスパース１７０００（ゼネカ社製）等を挙げることができる。また、その他の高分子系分散剤として、分散媒に溶媒和する部分を形成することが可能なラウリルメタクリレート、ステアリルメタクリレート、２−エチルヘキシルメタクリレート、セチルメタクリレート等のモノマー、分散媒に溶媒和し難い部分を形成することが可能なメチルメタクリレート、エチルメタクリレート、イソプロピルメタクリレート、スチレン、ビニルトルエン等のモノマー及び極性の官能基を有するモノマーのランダム共重合体、特開平３−１８８４６９号公報に開示されているグラフト共重合体等を挙げることができる。極性の官能基を有するモノマーとして、アクリル酸、メタクリル酸、イタコン酸、フマル酸、マレイン酸、スチレンスルホン酸等の酸性の官能基を有するモノマー；ジメチルアミノエチルメタクリレート、ジエチルアミノエチルメタクリレート、ビニルピリジン、ビニルピロリジン、ビニルピペリジン、ビニルラクタム等の塩基性の官能基を有するモノマー；これらの塩；スチレン−ブタジエン共重合体、特開昭６０−１０２６３号公報に開示されているスチレンと長鎖アルキルメタクリレートのブロック共重合体等を挙げることができる。また、特開平３−１８８４６９号公報に開示されているグラフト共重合体といった分散剤を添加してもよい。分散剤の添加量として、電気泳動粒子１００質量部に対して、０．０１質量部から５質量部を挙げることができる。電気泳動粒子の電気泳動を一層効果的に生じさせるために、イオン性界面活性剤を添加してもよい。アニオン界面活性剤の具体例として、ドデシルベンゼンスルホン酸ナトリウム、ドデシル硫酸ナトリウム、アルキルナフタレンスルホン酸ナトリウム、ジアルキルスルホコハク酸ナトリウム等を挙げることができる。また、カチオン界面活性剤の具体例として、アルキルベンゼンジメチルアンモニウムクロライド、アルキルトリメチルアンモニウムクロライド、ジステアリルアンモニウムクロライド等を挙げることができる。また、トリフルオロスルホニルイミド塩、トリフルオロ酢酸塩、トリフルオロ硫酸塩等のような、非極性分散媒に可溶なイオン性添加剤を添加してもよい。イオン性添加剤の添加量として、電気泳動粒子１００質量部に対して、１質量部乃至１０質量部を挙げることができる。
【００４８】
電気泳動粒子として、カーボンブラック（黒色）、各種金属酸化物類、フタロシアニン染料（シアン色）、ダイレクトブルー１９９（プロジェクトシアン色）、マゼンタ３７７（マゼンタ色）、リアクティブレッド２９（マゼンタ色）、リアクティブレッド１８０（マゼンタ色）、アゾ染料（黄色であり、例えば、イエロー１０４、Ilford AG、Rue de l'Industrie、CH-1700 Fribourg、Switzerland）を例示することができる。
【００４９】
調光層を金属イオンを含む電解質層から構成する場合、金属イオンは銀イオンから成り、電解質は、ＬｉＸ、ＮａＸ及びＫＸ（但し、Ｘはフッ素原子、塩素原子、臭素原子又はヨウ素原子である）から成る群より選ばれた少なくとも１種類の塩（『支持電解質塩』と呼ぶ）を含むことが望ましい。
【００５０】
電解質中には、電気化学的な還元・酸化、及び、これに伴う析出・溶解によって発色する発色材料として金属イオンが含有されている。そして、金属イオンの電気化学的な析出・溶解反応により、発色及び消色がなされ、調光装置の遮光率が変化する。換言すると、このような表示装置における調光装置の動作は、所謂、電解メッキによる金属の析出と析出した金属の溶出反応とを可逆的に生じさせる動作であると云える。このように、電気化学的な析出・溶解によって発色と消色とが実現可能な金属イオンとして、特に限定されるものではないが、上述した銀（Ａｇ）以外にも、ビスマス（Ｂｉ）、銅（Ｃｕ）、ナトリウム（Ｎａ）、リチウム（Ｌｉ）、鉄（Ｆｅ）、クロム（Ｃｒ）、ニッケル（Ｎｉ）、カドミウム（Ｃｄ）の各イオン、これらのイオンの組合せを例示することができるが、中でも特に好ましい金属イオンは、銀（Ａｇ）、ビスマス（Ｂｉ）である。銀やビスマスは、可逆的な反応を容易に進めることができ、しかも、析出時の変色度が高い。
【００５１】
そして、電解質に金属イオンが含まれているが、具体的には、金属イオンを含む物質が電解質に溶解している。より具体的には、金属イオンを含む物質として、例えば、ＡｇＦ、ＡｇＣｌ、ＡｇＢｒ、ＡｇＩ等のハロゲン化銀の少なくとも１種、好ましくはＡｇＩあるいはＡｇＢｒを挙げることができ、この金属イオンを含む物質が電解質に溶解している。ハロゲン化銀の濃度として、例えば、０．０３〜２．０モル／リットルを例示することができる。
【００５２】
第１基板と第２基板との間には金属イオンを含む電解質が封止されているが、ここで、電解質は、電解液あるいは高分子電解質から構成することができる。ここで、電解液として、溶媒に金属塩又はアルキル四級アンモニウム塩を含有させたものを用いることができる。具体的には、電解質として、水、エチルアルコール、イソプロピルアルコール、２−エトキシエタノール、２−メトキシエタノール、プロピレンカーボネート、ジメチルカーボネート、エチレンカーボネート、γ−ブチロラクトン、アセトニトリル、スルフォラン、ジメトキシエタン、ジメチルホルムアミド（ＤＭＦ）、ジエチルホルムアミド（ＤＥＦ）、ジメチルスルホキシド（ＤＭＳＯ）、Ｎ，Ｎ−ジメチルアセトアミド（ＤＭＡＡ）、Ｎ−メチルプロピオン酸アミド（ＭＰＡ）、Ｎ−メチルピロリドン（ＭＰ）、ジオキソラン（ＤＯＬ）、エチルアセテート（ＥＡ）、テトラヒドロフラン（ＴＨＦ）、メチルテトラヒドロフラン（ＭｅＴＨＦ）、又は、これらの混合物を用いることができる。また、高分子電解質に用いるマトリクス（母材）高分子として、主骨格単位、若しくは、側鎖単位、若しくは、主骨格単位及び側鎖単位に、アルキレンオキサイド、アルキレンイミン、アルキレンスルフィドの繰り返し単位を有する高分子材料、又は、これらの異なる単位を複数含む共重合物、又は、ポリメチルメタクリレート誘導体、ポリフッ化ビニリデン、ポリ塩化ビニリデン、ポリアクリロニトリル、ポリカーボネート誘導体、又は、これらの混合物を挙げることができる。電解質が高分子電解質から成る場合、電解質は、単一層であってもよいし、複数の高分子電解質が積層された積層構造を有していてもよい。
【００５３】
水や有機溶剤を添加することで膨潤したマトリクス高分子を用いることもできる。特に応答速度等が要求されるような場合には、マトリクス高分子に水や有機溶剤を添加することにより、電解質中に含まれる金属イオンの移動がより容易になる。
【００５４】
尚、マトリクス高分子の特質並びに所望の電気化学的反応に応じて、親水性を要求される場合には、水、エチルアルコール、イソプロピルアルコールあるいはこれらの混合物等を添加することが好ましく、疎水性を要求される場合には、プロピレンカーボネート、ジメチルカーボネート、エチレンカーボネート、γ−ブチロラクトン、アセトニトリル、スルフォラン、ジメトキシエタン、エチルアルコール、イソプロピルアルコール、ジメチルフォルムアミド、ジメチルスルフォキシド、ジメチルアセトアミド、ｎ−メチルピロリドン、あるいは、これらの混合物を添加することが好ましい。
【００５５】
上述したとおり、第１透明電極及び第２透明電極への電圧の印加に基づく、第２透明電極上における金属の析出及び電解質中への金属の溶解によって、調光装置（具体的には、エレクトロデポジション型の調光装置）の着色及び消色が生じる。ここで、一般に、第２透明電極上において析出した金属から成る層（金属層）の電解質と接する面には凹凸が生じ、黒味を帯びて見え一方、金属層の第２透明電極と接する面は鏡面状となる。従って、調光装置として用いる場合、金属層の電解質と接する面が観察者側を向くことが望ましい。云い換えれば、第１基板は第２基板よりも観察者側に配置されている形態とすることが好ましい。
【００５６】
上述したとおり、電解質に、析出・溶解させる金属イオン種とは異なるイオン種を含む塩（支持電解質塩）を添加することにより、電気化学的な析出・溶解反応をより効果的に、且つ、安定して行うことができる。このような支持電解質塩として、上述したリチウム塩、カリウム塩、ナトリウム塩や、テトラアルキル四級アンモニウム塩を挙げることができる。ここで、リチウム塩として、具体的には、ＬｉＣｌ、ＬｉＢｒ、ＬｉＩ、ＬｉＢＦ4、ＬｉＣｌＯ4、ＬｉＰＦ6、ＬｉＣＦ3ＳＯ3等を挙げることができる。また、カリウム塩として、具体的には、ＫＣｌ、ＫＩ、ＫＢｒ等を挙げることができる。更には、ナトリウム塩として、具体的には、ＮａＣｌ、ＮａＩ、ＮａＢｒ等を挙げることができる。また、テトラアルキル四級アンモニウム塩として、具体的には、硼フッ化テトラエチルアンモニウム塩、過塩素酸テトラエチルアンモニウム塩、硼フッ化テトラブチルアンモニウム塩、過塩素酸テトラブチルアンモニウム塩、テトラブチルアンモニウムハライド塩等を挙げることができる。尚、上述の四級アンモニウム塩のアルキル鎖長は不揃いであってもよい。支持電解質塩は、金属イオンを含む物質の、例えば、１／２〜５倍程度の濃度で添加すればよい。また、高分子電解質から成る電解質に無機粒子を着色剤として混ぜてもよい。
【００５７】
また、電解質には、電気化学的な反応、特に金属の析出・溶解を可逆的、且つ、効率的に行うために、成長阻害剤、応力抑制剤、光沢剤、錯化剤、還元剤といった添加剤の少なくとも１種類を添加してもよい。このような添加剤としては、酸素原子又は硫黄原子を有する基を備えた有機化合物が好ましく、例えば、チオ尿素、１−アリル−２−チオ尿素、メルカプトベンゾイミダゾール、クマリン、フタル酸、コハク酸、サリチル酸、グリコール酸、ジメチルアミンボラン（ＤＭＡＢ）、トリメチルアミンボラン（ＴＭＡＢ）、酒石酸、シュウ酸及びＤ−グルコノ−１，５−ラクトンから成る群より選ばれた少なくとも１種類を添加することが好ましい。特に、メルカプトアルキルイミダゾールに準じるメルカプトベンゾイミダゾールを添加することによって、可逆性が向上すると共に、長期保存性、高温保存性においても優れた効果を得ることができるため好ましい。
【００５８】
調光装置を構成する透明な第１基板及び第２基板を構成する材料として、具体的には、ソーダライムガラス、白板ガラス等の透明なガラス基板や、プラスチック基板、プラスチック・シート、プラスチック・フィルムを挙げることができる。ここで、プラスチックとして、ポリエチレンテレフタレート、ポリエチレンナフタレート、ポリカーボネート、酢酸セルロース等のセルロースエステル、ポリフッ化ビニリデンあるいはポリテトラフルオロエチレンとヘキサフルオロプロピレンとの共重合体等のフッ素ポリマー、ポリオキシメチレン等のポリエーテル、ポリアセタール、ポリスチレン、ポリエチレン、ポリプロピレン、メチルペンテンポリマー等のポリオレフィン、ポリアミドイミドあるいはポリエーテルイミド等のポリイミド、ポリアミド、ポリエーテルサルフォン、ポリフェニレンサルファイド、ポリフッ化ビニリデン、テトラアセチルセルロース、ブロム化フェノキシ、ポリアリレート、ポリスルフォン等を挙げることができる。プラスチック・シート、プラスチック・フィルムは、容易に曲がらない剛性を有していてもよいし、可撓性を有していてもよい。第１基板及び第２基板を透明なプラスチック基板から構成する場合、基板内面に無機材料あるいは有機材料から成るバリア層を形成しておいてもよい。
【００５９】
第１基板と第２基板とは、外縁部において封止部材によって封止され、接着されている。シール剤とも呼ばれる封止部材として、エポキシ樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の各種樹脂を用いることができる。
【００６０】
第１透明電極及び第２透明電極を構成する材料として、具体的には、インジウム−スズ複合酸化物（ＩＴＯ，Indium Tin Oxide，ＳｎドープのＩｎ2Ｏ3、結晶性ＩＴＯ及びアモルファスＩＴＯを含む）、フッ素ドープＳｎＯ2（ＦＴＯ）、ＩＦＯ（ＦドープのＩｎ2Ｏ3）、アンチモンドープＳｎＯ2（ＡＴＯ）、ＳｎＯ2、ＺｎＯ（ＡｌドープのＺｎＯやＢドープのＺｎＯを含む）、インジウム−亜鉛複合酸化物（ＩＺＯ，Indium Zinc Oxide）、スピネル型酸化物、ＹｂＦｅ2Ｏ4構造を有する酸化物、ポリアニリン、ポリピロール、ポリチオフェン等の導電性高分子等を挙げることができるが、これらに限定されるものではなく、また、これらを２種類以上組み合わせて用いることもできる。例えば平面形状が細線状の第１補助電極（第１バス電極）、第２補助電極（第２バス電極）を、第１透明電極、第２透明電極上に設けてもよく、これらの補助電極は、金、銀、銅、アルミニウム、ニッケル、チタン等の金属、あるいは、合金から構成することができる。第１補助電極及び第２補助電極は、第１透明電極及び第２透明電極よりも電気抵抗が低いことが要求される。第１透明電極、第２透明電極、第１補助電極及び第２補助電極は、真空蒸着法やスパッタリング法等の物理的気相成長法（ＰＶＤ法）、各種化学的気相成長法（ＣＶＤ法）、各種塗布等に基づき形成することができる。補助電極や透明電極のパターニングは、エッチング法、リフトオフ法、各種マスクを用いる方法等、任意の方法で行うことができる。
【００６１】
光学装置は半透過型（シースルー型）である。具体的には、少なくとも観察者の眼球（瞳）に対向する光学装置の部分を半透過（シースルー）とし、光学装置のこの部分及び調光装置を通して外景を眺めることができる。前述したように、観察者が、調光装置及び光学装置を通過した光の明るさを観察し、観察者が、スイッチやボタン、ダイアル、スライダ、ノブ等を操作することで手動にて遮光率を制御、調整することができるし、あるいは又、前述した外部環境から調光装置を透過した光に基づく照度を測定する第２の照度センサ（透過光照度測定センサ）の測定結果に基づき、遮光率を制御、調整することができる。尚、遮光率の制御、調整は、具体的には、第１透明電極及び第２透明電極に印加する電圧を制御すればよい。第２の照度センサ（透過光照度測定センサ）を、少なくとも２つ、配置し、高遮光率の部分を通過した光に基づく照度の測定、低遮光率の部分を通過した光に基づく照度の測定を行ってもよい。表示装置は、画像表示装置を１つ備えていてもよいし、２つ備えていてもよい。画像表示装置を２つ備えている場合、一方の調光装置と他方の調光装置のそれぞれにおいて、第１透明電極及び第２透明電極に印加する電圧を調整することで、一方の調光装置における遮光率及び他方の調光装置における遮光率の均等化を図ることができる。一方の調光装置における遮光率及び他方の調光装置における遮光率は、例えば、前述した外部環境から調光装置を透過した光に基づく照度を測定する第２の照度センサ（透過光照度測定センサ）の測定結果に基づき、制御することができるし、あるいは又、観察者が、一方の調光装置及び光学装置を通過した光の明るさ及び他方の調光装置及び光学装置を通過した光の明るさを観察し、観察者が、スイッチやボタン、ダイアル、スライダ、ノブ等を操作することで手動にて制御、調整することもできる。遮光率の調整を行う場合、光学装置にテストパターンを表示してもよい。
【００６２】
本明細書において、「半透過」という用語を用いる場合があるが、入射する光の１／２（５０％）を透過し、あるいは反射することを意味するのではなく、入射する光の一部を透過し、残部を反射するといった意味で用いている。
【００６３】
第１構造の光学装置において、前述したとおり、第１偏向手段は、導光板に入射された光を反射し、第２偏向手段は、導光板の内部を全反射により伝播した光を、複数回に亙り、透過、反射する構成とすることができる。そして、この場合、第１偏向手段は反射鏡として機能し、第２偏向手段は半透過鏡として機能する構成とすることができる。尚、このような第１構造の光学装置を、便宜上、『第１−Ａ構造の光学装置』と呼ぶ。
【００６４】
このような第１−Ａ構造の光学装置において、第１偏向手段は、例えば、合金を含む金属から構成され、導光板に入射された光を反射させる光反射膜（一種のミラー）や、導光板に入射された光を回折させる回折格子（例えば、ホログラム回折格子膜）から構成することができる。あるいは又、第１偏向手段は、例えば、誘電体積層膜が多数積層された多層積層構造体、ハーフミラー、偏光ビームスプリッターから構成することができる。また、第２偏向手段は、誘電体積層膜が多数積層された多層積層構造体や、ハーフミラー、偏光ビームスプリッター、ホログラム回折格子膜から構成することができる。そして、第１偏向手段や第２偏向手段は、導光板の内部に配設されている（導光板の内部に組み込まれている）が、第１偏向手段においては、導光板に入射された平行光が導光板の内部で全反射されるように、導光板に入射された平行光が反射又は回折される。一方、第２偏向手段においては、導光板の内部を全反射により伝播した平行光が複数回に亙り反射又は回折され、導光板から平行光の状態で出射される。
【００６５】
あるいは又、第１偏向手段は、導光板に入射された光を回折反射し、第２偏向手段は、導光板の内部を全反射により伝播した光を、複数回に亙り、回折反射する構成とすることができる。そして、この場合、第１偏向手段及び第２偏向手段は回折格子素子から成る形態とすることができ、更には、回折格子素子は、反射型回折格子素子から成り、あるいは又、透過型回折格子素子から成り、あるいは又、一方の回折格子素子は反射型回折格子素子から成り、他方の回折格子素子は透過型回折格子素子から成る構成とすることができる。尚、反射型回折格子素子として、反射型体積ホログラム回折格子を挙げることができる。反射型体積ホログラム回折格子から成る第１偏向手段を、便宜上、『第１回折格子部材』と呼び、反射型体積ホログラム回折格子から成る第２偏向手段を、便宜上、『第２回折格子部材』と呼ぶ場合がある。また、このような第１構造の光学装置を、便宜上、『第１−Ｂ構造の光学装置』と呼ぶ。
【００６６】
本開示における画像表示装置によって、単色（例えば、緑色）の画像表示を行うことができる。そして、この場合、例えば、画角を例えば二分割（より具体的には、例えば二等分割）して、第１偏向手段は、二分割された画角群のそれぞれに対応する２つの回折格子部材が積層されて成る構成とすることができる。あるいは又、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、反射型体積ホログラム回折格子から成るＰ層の回折格子層が積層されて成る構成とすることができる。各回折格子層には１種類の波長帯域（あるいは、波長）に対応する干渉縞が形成されている。あるいは又、異なるＰ種類の波長帯域（あるいは、波長）を有するＰ種類の光の回折反射に対応するために、１層の回折格子層から成る第１回折格子部材あるいは第２回折格子部材にＰ種類の干渉縞が形成されている構成とすることもできる。あるいは又、例えば、第１導光板に、赤色の波長帯域（あるいは、波長）を有する光を回折反射させる反射型体積ホログラム回折格子から成る回折格子層から構成された回折格子部材を配し、第２導光板に、緑色の波長帯域（あるいは、波長）を有する光を回折反射させる反射型体積ホログラム回折格子から成る回折格子層から構成された回折格子部材を配し、第３導光板に、青色の波長帯域（あるいは、波長）を有する光を回折反射させる反射型体積ホログラム回折格子から成る回折格子層から構成された回折格子部材を配し、これらの第１導光板、第２導光板及び第３導光板を隙間を開けて積層する構造を採用してもよい。あるいは又、画角を例えば三等分して、第１回折格子部材あるいは第２回折格子部材を、各画角に対応する回折格子層が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。反射型体積ホログラム回折格子が直接大気と接しないように、保護部材を配することが好ましい。
【００６７】
第１回折格子部材及び第２回折格子部材を構成する材料として、フォトポリマー材料を挙げることができる。反射型体積ホログラム回折格子から成る第１回折格子部材及び第２回折格子部材の構成材料や基本的な構造は、従来の反射型体積ホログラム回折格子の構成材料や構造と同じとすればよい。反射型体積ホログラム回折格子とは、＋１次の回折光のみを回折反射するホログラム回折格子を意味する。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材（あるいは回折格子層）の表面と干渉縞の成す角度を意味する。第１回折格子部材及び第２回折格子部材を、反射型体積ホログラム回折格子から成るＰ層の回折格子層の積層構造から構成する場合、このような回折格子層の積層は、Ｐ層の回折格子層をそれぞれ別個に作製した後、Ｐ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｐ層の回折格子層を作製してもよい。
【００６８】
あるいは又、本開示における画像表示装置において、光学装置は、画像形成装置から出射された光が入射され、観察者の瞳に向かって出射される半透過ミラーから構成されている形態とすることができるし、偏光ビームスプリッター（ＰＢＳ）から構成されている形態とすることができる。半透過ミラーあるいは偏光ビームスプリッターによって光学装置の虚像形成領域が構成される。画像形成装置から出射された光は、空気中を伝播して半透過ミラーあるいは偏光ビームスプリッターに入射する構造としてもよいし、例えば、ガラス板やプラスチック板等の透明な部材（具体的には、後述する導光板を構成する材料と同様の材料から成る部材）の内部を伝播して半透過ミラーあるいは偏光ビームスプリッターに入射する構造としてもよい。半透過ミラーあるいは偏光ビームスプリッターを、この透明な部材を介して画像形成装置に取り付けてもよいし、半透過ミラーあるいは偏光ビームスプリッターを、この透明な部材とは別の部材を介して画像形成装置に取り付けてもよい。ここで、このような光学装置を、便宜上、『第２構造の光学装置』と呼ぶ。半透過ミラーとして、第１−Ａ構造の光学装置における第１偏向手段、例えば、合金を含む金属から構成され、光を反射させる光反射膜（一種のミラー）や、回折格子（例えば、ホログラム回折格子膜）から構成することができる。あるいは又、光学装置は、画像形成装置から出射された光が入射され、観察者の瞳に向かって出射されるプリズムから構成されている形態とすることができる。
【００６９】
以上に説明した各種好ましい形態、構成を含む本開示における画像表示装置において、画像形成装置は、２次元マトリクス状に配列された複数の画素を有する形態とすることができる。尚、このような画像形成装置の構成を、便宜上、『第１構成の画像形成装置』と呼ぶ。
【００７０】
第１構成の画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）、半導体レーザ素子等の発光素子から構成された画像形成装置を挙げることができるが、中でも、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて光学系へと導く偏光ビームスプリッターから成る構成とすることができる。光源を構成する発光素子として、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、１０２４×７６８、１９２０×１０８０等を例示することができる。
【００７１】
あるいは又、以上に説明した好ましい形態、構成を含む本開示における画像表示装置において、画像形成装置は、光源、及び、光源から出射された平行光を走査する走査手段を備えた形態とすることができる。尚、このような画像形成装置の構成を、便宜上、『第２構成の画像形成装置』と呼ぶ。
【００７２】
第２構成の画像形成装置における光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第２構成の画像形成装置における画素（仮想の画素）の数も、画像表示装置に要求される仕様に基づき決定すればよく、画素（仮想の画素）の数の具体的な値として、３２０×２４０、４３２×２４０、６４０×４８０、１０２４×７６８、１９２０×１０８０等を例示することができる。また、カラーの画像表示を行う場合であって、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）やガルバノ・ミラーを挙げることができる。
【００７３】
第１構造の光学装置を備えた画像表示装置における第１構成の画像形成装置あるいは第２構成の画像形成装置において、光学系（出射光を平行光とする光学系であり、『平行光出射光学系』と呼ぶ場合があり、具体的には、例えば、コリメート光学系やリレー光学系）にて複数の平行光とされた光を導光板に入射させるが、このような、平行光であることの要請は、これらの光が導光板へ入射したときの光波面情報が、第１偏向手段と第２偏向手段を介して導光板から出射された後も保存される必要があることに基づく。尚、複数の平行光を生成させるためには、具体的には、例えば、平行光出射光学系における焦点距離の所（位置）に、例えば、画像形成装置の光出射部を位置させればよい。平行光出射光学系は、画素の位置情報を光学装置の光学系における角度情報に変換する機能を有する。平行光出射光学系として、凸レンズ、凹レンズ、自由曲面プリズム、ホログラムレンズを、単独、若しくは、組み合わせた、全体として正の光学的パワーを持つ光学系を例示することができる。平行光出射光学系と導光板との間には、平行光出射光学系から不所望の光が出射されて導光板に入射しないように、開口部を有する遮光部を配置してもよい。
【００７４】
導光板は、導光板の軸線（長手方向、水平方向であり、Ｘ軸方向に該当する）と平行に延びる２つの平行面（第１面及び第２面）を有している。尚、導光板の幅方向（高さ方向、垂直方向）はＹ軸方向に該当する。光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。回折格子部材の干渉縞は、概ねＹ軸方向と平行に延びる。導光板を構成する材料として、石英ガラスやＢＫ７等の光学ガラスを含むガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板の形状は、平板に限定するものではなく、湾曲した形状を有していてもよい。
【００７５】
本開示の表示装置等において、画像形成装置から出射された光が入射される光学装置の領域には、光学装置への外光の入射を遮光する遮光部材が配されている構成とすることができる。画像形成装置から出射された光が入射される光学装置の領域に、光学装置への外光の入射を遮光する遮光部材を配することで、調光装置の作動によって外光の入射光量に変化が生じても、そもそも、画像形成装置から出射された光が入射される光学装置の領域には外光が入射しないので、不所望の迷光等が発生し、表示装置における画像表示品質が低下するといったことが無い。尚、遮光部材の光学装置への射影像内に、画像形成装置から出射された光が入射される光学装置の領域が含まれる形態とすることが好ましい。
【００７６】
遮光部材は、光学装置の画像形成装置が配された側とは反対側に、光学装置と離間して配されている構成とすることができる。このような構成の表示装置にあっては、遮光部材を、例えば、不透明なプラスチック材料から作製すればよく、このような遮光部材は、画像表示装置の筐体から一体に延び、あるいは又、画像表示装置の筐体に取り付けられ、あるいは又、フレームから一体に延び、あるいは又、フレームに取り付けられている形態とすることができる。あるいは又、遮光部材は、画像形成装置が配された側とは反対側の光学装置の部分に配されている構成とすることができるし、遮光部材は、調光装置に配されている構成とすることもできる。尚、不透明な材料から成る遮光部材を、例えば、光学装置の面上に物理的気相成長法（ＰＶＤ法）や化学的気相成長法（ＣＶＤ法）に基づき形成してもよいし、印刷法等によって形成してもよいし、不透明な材料（プラスチック材料や金属材料、合金材料等）から成るフィルムやシート、箔を貼り合わせてもよい。遮光部材の光学装置への射影像内に、調光装置の端部の光学装置への射影像が含まれる構成とすることが好ましい。
【００７７】
本開示の表示装置等において、フレームは、前述したとおり、観察者の正面に配置されるフロント部と、フロント部の両端に蝶番を介して回動自在に取り付けられた２つのテンプル部とから成る構成とすることができる。尚、各テンプル部の先端部にはモダン部が取り付けられている。画像表示装置はフレームに取り付けられているが、具体的には、例えば、画像形成装置をテンプル部に取り付ければよい。また、フロント部と２つのテンプル部とが一体となった構成とすることもできる。即ち、本開示の表示装置等の全体を眺めたとき、フレームは、概ね通常の眼鏡と略同じ構造を有する。パッド部を含むフレームを構成する材料は、金属や合金、プラスチック、これらの組合せといった、通常の眼鏡を構成する材料と同じ材料から構成することができる。更には、フロント部にノーズパッドが取り付けられている構成とすることができる。即ち、本開示の表示装置等の全体を眺めたとき、フレーム（リムを含む場合がある）及びノーズパッドの組立体は、通常の眼鏡と略同じ構造を有する。ノーズパッドも周知の構成、構造とすることができる。
【００７８】
また、本開示の表示装置等にあっては、デザイン上、あるいは、装着の容易性といった観点から、１つあるいは２つの画像形成装置からの配線（信号線や電源線等）が、テンプル部、及び、モダン部の内部を介して、モダン部の先端部から外部に延び、制御装置（制御回路あるいは制御手段）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることもできる。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。また、フロント部の中央部分に撮像装置が取り付けられている形態とすることもできる。撮像装置は、具体的には、例えば、ＣＣＤあるいはＣＭＯＳセンサーから成る固体撮像素子とレンズから構成されている。撮像装置からの配線は、例えば、フロント部を介して、一方の画像表示装置（あるいは画像形成装置）に接続すればよく、更には、画像表示装置（あるいは画像形成装置）から延びる配線に含ませればよい。撮像装置を、フレームの中央部分や端部に取り付けてもよいし、テンプル部に取り付けてもよい。
【００７９】
あるいは又、本開示の表示装置等を両眼型とする場合、
導光板は、全体として画像形成装置よりも観察者の顔の中心側に配置されており、
２つの画像表示装置を結合する結合部材を更に有し、
結合部材は、観察者の２つの瞳の間に位置するフレームの中央部分の観察者に面する側に取り付けられており、
結合部材の射影像は、フレームの射影像内に含まれる構成とすることができる。
【００８０】
このように、結合部材が、観察者の２つの瞳の間に位置するフレームの中央部分に取り付けられている構造とすることによって、即ち、画像表示装置は、フレームに、直接、取り付けられた構造とはなっていなければ、観察者がフレームを頭部に装着したとき、テンプル部が外側に向かって広がった状態となり、その結果、フレームが変形したとしても、係るフレームの変形によって、画像形成装置あるいは導光板の変位（位置変化）が生じることがないか、生じたとしても、極僅かである。それ故、左右の画像の輻輳角が変化してしまうことを確実に防止することができる。しかも、フレームのフロント部の剛性を高める必要がないので、フレームの重量増加、デザイン性の低下、コストの増加を招くことがない。また、画像表示装置は、眼鏡型のフレームに、直接、取り付けられていないので、観察者の嗜好によってフレームのデザインや色等を自由に選択することが可能であるし、フレームのデザインが受ける制約も少なく、デザイン上の自由度が高い。加えて、結合部材は、観察者とフレームとの間に配置されており、しかも、結合部材の射影像は、フレームの射影像内に含まれる。云い換えれば、観察者の正面から頭部装着型ディスプレイを眺めたとき、結合部材はフレームによって隠されている。従って、高いデザイン性、意匠性を頭部装着型ディスプレイに与えることができる。
【００８１】
尚、結合部材は、観察者の２つの瞳の間に位置するフロント部の中央部分（通常の眼鏡におけるブリッジの部分に相当する）の観察者に面する側に取り付けられている構成とすることが好ましい。
【００８２】
結合部材によって２つの画像表示装置が結合されているが、具体的には、結合部材の各端部に、画像形成装置が、取付け状態調整可能に取り付けられている形態とすることができる。そして、この場合、各画像形成装置は、観察者の瞳よりも外側に位置している構成とすることが好ましい。更には、このような構成にあっては、一方の画像形成装置の取付部中心とフレームの一端部（一方の智、ヨロイ）との間の距離をα、結合部材の中心からフレームの一端部（一方の智）までの距離をβ、他方の画像形成装置の取付部中心とフレームの一端部（一方の智）との間の距離をγ、フレームの長さをＬとしたとき、０．０１×Ｌ≦α≦０．３０×Ｌ、好ましくは、０．０５×Ｌ≦α≦０．２５×Ｌ、０．３５×Ｌ≦β≦０．６５×Ｌ、好ましくは、０．４５×Ｌ≦β≦０．５５×Ｌ、０．７０×Ｌ≦γ≦０．９９×Ｌ、好ましくは、０．７５×Ｌ≦γ≦０．９５×Ｌを満足することが望ましい。結合部材の各端部への画像形成装置の取付けは、具体的には、例えば、結合部材の各端部の３箇所に貫通孔を設け、貫通孔に対応した螺合部を画像形成装置に設け、各貫通孔にビスを通し、画像形成装置に設けられた螺合部に螺合させる。ビスと螺合部との間にはバネを挿入しておく。こうして、ビスの締め付け状態によって、画像形成装置の取付け状態（結合部材に対する画像形成装置の傾き）を調整することができる。
【００８３】
ここで、画像形成装置の取付部中心とは、画像形成装置が結合部材に取り付けられている状態において、画像形成装置及びフレームを仮想平面に射影したときに得られる画像形成装置の射影像が、フレームの射影像の重なっている部分のフレームの軸線方向に沿った二等分点を指す。また、結合部材の中心とは、結合部材がフレームに取り付けられている状態において、結合部材がフレームに接している部分のフレームの軸線方向に沿った二等分点を指す。フレームの長さとは、フレームが湾曲している場合、フレームの射影像の長さである。尚、射影方向は、観察者の顔に対して垂直な方向とする。
【００８４】
あるいは又、結合部材によって２つの画像表示装置が結合されているが、具体的には、結合部材が、２つの導光板を結合している形態とすることもできる。尚、２つの導光板が一体的に作製されている場合があり、このような場合、係る一体的に作製された導光板に結合部材が取り付けられているが、係る形態も、結合部材が２つの導光板を結合している形態に包含される。一方の画像形成装置の中心とフレームの一端部との間の距離をα’他方の画像形成装置の中心とフレームの一端部との間の距離をγ’としたとき、α’，γ’の値も上述したα，γの値と同様とすることが望ましい。尚、画像形成装置の中心とは、画像形成装置が導光板に取り付けられている状態において、画像形成装置及びフレームを仮想平面に射影したときに得られる画像形成装置の射影像が、フレームの射影像の重なっている部分のフレームの軸線方向に沿った二等分点を指す。
【００８５】
結合部材の形状は、結合部材の射影像がフレームの射影像内に含まれる限りにおいて、本質的に任意であり、例えば、棒状、細長い板状を例示することができる。結合部材を構成する材料も、金属や合金、プラスチック、これらの組合せを挙げることができる。
【００８６】
本開示の表示装置等にあっては、画像表示装置において画像を表示するための信号（光学装置において虚像を形成するための信号）を外部から受け取る形態とすることができる。このような形態にあっては、画像表示装置において表示する画像に関する情報やデータは、例えば、所謂クラウドコンピュータやサーバーに記録、保管、保存されており、表示装置が通信手段、例えば、携帯電話機やスマートフォンを備えることによって、あるいは又、表示装置と通信手段とを組み合わせることによって、クラウドコンピュータやサーバーと表示装置との間での各種情報やデータの授受、交換を行うことができるし、各種情報やデータに基づく信号、即ち、画像表示装置において画像を表示するための信号（光学装置において虚像を形成するための信号）を受け取ることができる。あるいは又、画像表示装置において画像を表示するための信号（光学装置において虚像を形成するための信号）は表示装置に記憶されている形態とすることができる。尚、画像表示装置において表示される画像には、各種情報や各種データが含まれる。あるいは又、表示装置は撮像装置を備えており、撮像装置によって撮像された画像を通信手段を介してクラウドコンピュータやサーバーに送出し、クラウドコンピュータやサーバーにおいて撮像装置によって撮像された画像に該当する各種情報やデータを検索し、検索された各種情報やデータを通信手段を介して表示装置に送出し、検索された各種情報やデータを画像表示装置において画像を表示してもよい。
【００８７】
撮像装置によって撮像された画像を通信手段を介してクラウドコンピュータやサーバーに送出する際、撮像装置によって撮像される画像を画像表示装置において表示し、光学装置において確認してもよい。具体的には、撮像装置によって撮像される空間領域の外縁を調光装置において枠状に表示する形態とすることができる。あるいは又、撮像装置によって撮像される空間領域に対応する調光装置の領域の遮光率を、撮像装置によって撮像される空間領域の外側に対応する調光装置の領域の遮光率よりも高くする形態とすることができる。このような形態にあっては、観察者には、撮像装置によって撮像される空間領域は、撮像装置によって撮像される空間領域の外側よりも暗く見える。あるいは又、撮像装置によって撮像される空間領域に対応する調光装置の領域の遮光率を、撮像装置によって撮像される空間領域の外側に対応する調光装置の領域の遮光率よりも低くする形態とすることもできる。このような形態にあっては、観察者には、撮像装置によって撮像される空間領域は、撮像装置によって撮像される空間領域の外側よりも明るく見える。そして、これによって、撮像装置が外部のどこを撮像するかを観察者は、容易に、且つ、確実に認識することができる。
【００８８】
撮像装置によって撮像される空間領域に対応する調光装置の領域の位置を校正することが好ましい。具体的には、表示装置が、例えば、携帯電話機やスマートフォンを備えることによって、あるいは又、表示装置と携帯電話機やスマートフォン、パーソナルコンピュータとを組み合わせることによって、携帯電話機やスマートフォン、パーソナルコンピュータにおいて、撮像装置によって撮像された空間領域を表示することができる。そして、携帯電話機やスマートフォン、パーソナルコンピュータにおいて表示された空間領域と、撮像装置によって撮像される空間領域に対応する調光装置の領域との間に差異が存在する場合、調光装置の遮光率（光透過率）を制御するための制御回路（携帯電話機やスマートフォン、パーソナルコンピュータによって代用することもできる）を用いて、撮像装置によって撮像される空間領域に対応する調光装置の領域を移動・回転させ、あるいは、拡大／縮小することで、携帯電話機やスマートフォン、パーソナルコンピュータにおいて表示された空間領域と、撮像装置によって撮像される空間領域に対応する調光装置の領域との間の差異を無くせばよい。
【００８９】
以上に説明した種々の変形例を含む本開示の表示装置等は、例えば、電子メールの受信・表示、インターネット上の種々のサイトにおける各種情報等の表示、各種装置等の観察対象物の運転、操作、保守、分解時等における各種説明や、記号、符号、印、標章、図案等の表示；人物や物品等の観察対象物に関する各種説明や、記号、符号、印、標章、図案等の表示；動画や静止画の表示；映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示に用いることができるし、クローズド・キャプションの表示に用いることができる。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、画像制御信号が表示装置に送出され、画像が表示装置にて表示される。また、各種装置、人物や物品等の観察対象物に関する各種説明の表示を行うが、撮像装置によって各種装置、人物や物品等の観察対象物を撮影（撮像）し、表示装置において撮影（撮像）内容を解析することで、予め作成しておいた各種装置、人物や物品等の観察対象物に関する各種説明の表示を表示装置にて行うことができる。あるいは又、本開示の表示装置等は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。
【００９０】
画像形成装置への画像信号には、画像信号（例えば、文字データ）だけでなく、例えば、表示すべき画像に関する輝度データ（輝度情報）、又は、色度データ（色度情報）、又は、輝度データ及び色度データを含めることができる。輝度データは、光学装置を通して眺めた観察対象物を含む所定の領域の輝度に対応した輝度データとすることができるし、色度データは、光学装置を通して眺めた観察対象物を含む所定の領域の色度に対応した色度データとすることができる。このように、画像に関する輝度データを含めることで、表示される画像の輝度（明るさ）の制御を行うことができるし、画像に関する色度データを含めることで、表示される画像の色度（色）の制御を行うことができるし、画像に関する輝度データ及び色度データを含めることで、表示される画像の輝度（明るさ）及び色度（色）の制御を行うことができる。画像表示装置を通して眺めた観察対象物を含む所定の領域の輝度に対応した輝度データとする場合、画像表示装置を通して眺めた観察対象物を含む所定の領域の輝度の値が高くなるほど、画像の輝度の値が高くなるように（即ち、画像がより明るく表示されるように）、輝度データの値を設定すればよい。また、画像表示装置を通して眺めた観察対象物を含む所定の領域の色度に対応した色度データとする場合、画像表示装置を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤に対しての緑、黄に対しての紫、青に対しての橙など、相補的な色のことでもある。或る色に別の色を適宜の割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【００９１】
本開示の表示装置等によって、例えば、頭部装着型ディスプレイ（ＨＭＤ，Head Mounted Display）を構成することができる。そして、これによって、表示装置の軽量化、小型化を図ることができるし、表示装置装着時の不快感を大幅に軽減させることが可能となり、更には、製造コストダウンを図ることも可能となる。あるいは又、車両や航空機のコックピット等に備えられるヘッドアップディスプレイ（ＨＵＤ）に本開示の表示装置等を適用することができる。具体的には、画像形成装置から出射された光に基づき虚像が形成される虚像形成領域が車両や航空機のコックピット等のフロントガラスに配されたＨＵＤにおいて、あるいは又、画像形成装置から出射された光に基づき虚像が形成される虚像形成領域を有するコンバイナが車両や航空機のコックピット等のフロントガラスに配されたＨＵＤにおいて、係る虚像形成領域やコンバイナを調光装置の少なくとも一部分と重ならせればよい。
【実施例１】
【００９２】
実施例１は、本開示の表示装置に関し、具体的には、第１−Ａ構造の光学装置及び第１構成の画像形成装置に関する。実施例１の画像表示装置の概念図を図１に示し、実施例１等の表示装置（具体的には、頭部装着型ディスプレイ，ＨＭＤ）を上方から眺めた模式図を図２に示し、側方から眺めた模式図を図３Ａに示し、光学装置及び調光装置の部分を正面から眺めた模式図を図３Ｂに示し、実施例１の表示装置における調光装置の模式的な断面図及び光学装置及び調光装置の模式的な正面図を図４Ａ及び図４Ｂに示す。また、画像表示装置を構成する導光板における光の伝播状態を図５に模式的に示す。
【００９３】
実施例１あるいは後述する実施例２〜実施例１２の表示装置は、より具体的には、頭部装着型ディスプレイ（ＨＭＤ）であり、
（Ａ）観察者２０の頭部に装着されるフレーム１０（例えば、眼鏡型のフレーム１０）、
（Ｂ）フレーム１０に取り付けられた画像表示装置１００，２００，３００，４００，５００、及び、
（Ｃ）外部から入射する外光の光量を調整する調光装置７００、
を備えている。尚、実施例１あるいは後述する実施例２〜実施例１２の表示装置を、具体的には、２つの画像表示装置を備えた両眼型としたが、１つ備えた片眼型としてもよい。また、画像形成装置１１１，２１１は、例えば、単色（例えば、緑色）の画像（虚像）を表示する。そして、実施例１あるいは後述する実施例２〜実施例１２における画像表示装置１００，２００，３００，４００，５００は、
（ａ）画像形成装置１１１，２１１、及び、
（ｂ）画像形成装置１１１，２１１から出射される光に基づき虚像が形成される虚像形成領域を有する光学装置１２０，３２０，５２０、
を備えている。更には、実施例１あるいは後述する実施例２〜実施例５、実施例７〜実施例１２の表示装置にあっては、
（ｃ）画像形成装置１１１，２１１から出射された光を平行光とする光学系（平行光出射光学系）１１２，２５４、
を備えており、光学系１１２，２５４にて平行光とされた光束が光学装置１２０，３２０，５２０に入射され、導光され、出射される。
【００９４】
尚、画像表示装置１００，２００，３００，４００，５００は、フレーム１０に、固定して取り付けられていてもよいし、着脱自在に取り付けられていてもよい。ここで、光学系１１２，２５４は、画像形成装置１１１，２１１と光学装置１２０，３２０，５２０との間に配置されている。そして、光学系１１２，２５４にて平行光とされた光束が、光学装置１２０，３２０，５２０に入射され、導光され、出射される。また、光学装置１２０，３２０，５２０は半透過型（シースルー型）である。具体的には、少なくとも観察者２０の両眼に対向する光学装置の部分（より具体的には、後述する導光板１２１，３２１及び第２偏向手段１４０，３４０）は、半透過（シースルー）である。
【００９５】
ここで、光学装置１２０，３２０，５２０の虚像形成領域は調光装置７００と重なっており；画像形成装置１１１，２１１から出射される光に基づき虚像形成領域の一部分において虚像が形成されるとき、調光装置７００への虚像の投影像が含まれる調光装置７００の虚像投影領域７１１の遮光率が、調光装置７００の他の領域７１２の遮光率よりも高くなるように、調光装置７００が制御される。尚、調光装置７００において虚像投影領域７１１の位置は固定されたものでなく、虚像の形成位置に依存して変化し、また、虚像投影領域７１１の数も、虚像の数（あるいは一連の虚像群の数、ブロック化された虚像群の数等）に依存して変化する。
【００９６】
実施例１あるいは後述する実施例２〜実施例４の表示装置において、光学装置１２０，３２０は、
（ｂ−１）画像形成装置１１１，２１１から入射された光が内部を全反射により伝播した後、観察者２０に向けて出射される導光板１２１，３２１、
（ｂ−２）導光板１２１，３２１に入射された光が導光板１２１，３２１の内部で全反射されるように、導光板１２１，３２１に入射された光を偏向させる第１偏向手段１３０，３３０、及び、
（ｂ−３）導光板１２１，３２１の内部を全反射により伝播した光を導光板１２１，３２１から出射させるために、導光板１２１，３２１の内部を全反射により伝播した光を複数回に亙り偏向させる第２偏向手段１４０，３４０、
を備えており、
第２偏向手段１４０，３４０によって光学装置の虚像形成領域が構成される。
【００９７】
実施例１あるいは後述する実施例２〜実施例４において、画像形成装置１１１，２１１の中心から出射され、光学系１１２，２５４の画像形成装置側節点を通過した光線（中心光線ＣＬ）の内、光学装置１２０，３２０に垂直に入射する中心入射光線が光学装置１２０，３２０に入射する点を光学装置中心点Ｏとし、光学装置中心点Ｏを通過し、光学装置１２０，３２０の軸線方向と平行な軸線をＸ軸、光学装置中心点Ｏを通過し、光学装置１２０，３２０の法線と一致する軸線をＺ軸とする。尚、次に述べる第１偏向手段１３０，３３０の中心点が、光学装置中心点Ｏである。即ち、図５に示すように、画像表示装置１００，２００，３００，４００において、画像形成装置１１１，２１１の中心から出射され、光学系１１２，２５４の画像形成装置側節点を通過した中心入射光線ＣＬは、導光板１２１，３２１に垂直に衝突する。云い換えれば、中心入射光線ＣＬは、導光板１２１，３２１へ、入射角０度で入射する。そして、この場合、表示される画像（虚像）の中心は、導光板１２１，３２１の第１面１２２，３２２の垂線方向に一致する。
【００９８】
このように、第１偏向手段は、導光板１２１，３２１に入射された光を反射し、第２偏向手段は、導光板１２１，３２１の内部を全反射により伝播した光を、複数回に亙り、透過、反射する。具体的には、実施例１あるいは後述する実施例２において、第１偏向手段１３０及び第２偏向手段１４０は導光板１２１の内部に配設されている。そして、第１偏向手段１３０は、導光板１２１に入射された光を反射し、第２偏向手段１４０は、導光板１２１の内部を全反射により伝播した光を、複数回に亙り、透過、反射する。即ち、第１偏向手段１３０は反射鏡として機能し、第２偏向手段１４０は半透過鏡として機能する。より具体的には、導光板１２１の内部に設けられた第１偏向手段１３０は、アルミニウム（Ａｌ）から成り、導光板１２１に入射された光を反射させる光反射膜（一種のミラー）から構成されている。一方、導光板１２１の内部に設けられた第２偏向手段１４０は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板１２１を構成する材料と同じ材料から成る薄片が挟まれている。尚、第１偏向手段１３０においては、導光板１２１に入射された平行光が導光板１２１の内部で全反射されるように、導光板１２１に入射された平行光が反射（又は回折）される。一方、第２偏向手段１４０においては、導光板１２１の内部を全反射により伝播した平行光が複数回に亙り反射（又は回折）され、導光板１２１から平行光の状態で、観察者２０の瞳２１に向かって出射される。
【００９９】
第１偏向手段１３０は、導光板１２１の第１偏向手段１３０を設ける部分１２４を切り出すことで、導光板１２１に第１偏向手段１３０を形成すべき斜面を設け、係る斜面に光反射膜を真空蒸着した後、導光板１２１の切り出した部分１２４を第１偏向手段１３０に接着すればよい。また、第２偏向手段１４０は、導光板１２１を構成する材料と同じ材料（例えば、ガラス）と誘電体積層膜（例えば、真空蒸着法にて成膜することができる）とが多数積層された多層積層構造体を作製し、導光板１２１の第２偏向手段１４０を設ける部分１２５を切り出して斜面を形成し、係る斜面に多層積層構造体を接着し、研磨等を行って、外形を整えればよい。こうして、導光板１２１の内部に第１偏向手段１３０及び第２偏向手段１４０が設けられた光学装置１２０を得ることができる。
【０１００】
ここで、実施例１あるいは後述する実施例２〜実施例４、実施例７〜実施例１２において、光学ガラスやプラスチック材料から成る導光板１２１，３２１は、導光板１２１，３２１の内部全反射による光伝播方向（Ｘ軸）と平行に延びる２つの平行面（第１面１２２，３２２及び第２面１２３，３２３）を有している。第１面１２２，３２２と第２面１２３，３２３とは対向している。そして、光入射面に相当する第１面１２２，３２２から平行光が入射され、内部を全反射により伝播した後、光出射面に相当する第１面１２２，３２２から出射される。但し、これに限定するものではなく、第２面１２３，３２３によって光入射面が構成され、第１面１２２，３２２によって光出射面が構成されていてもよい。
【０１０１】
実施例１あるいは後述する実施例３において、画像形成装置１１１は、第１構成の画像形成装置であり、２次元マトリクス状に配列された複数の画素を有する。具体的には、画像形成装置１１１は、反射型空間光変調装置１５０、及び、白色光を出射する発光ダイオードから成る光源１５３から構成されている。各画像形成装置１１１全体は、筐体１１３（図１では、一点鎖線で示す）内に納められており、係る筐体１１３には開口部（図示せず）が設けられており、開口部を介して光学系（平行光出射光学系，コリメート光学系）１１２から光が出射される。反射型空間光変調装置１５０は、ライト・バルブとしてのＬＣＯＳから成る液晶表示装置（ＬＣＤ）１５１、及び、光源１５３からの光の一部を反射して液晶表示装置１５１へと導き、且つ、液晶表示装置１５１によって反射された光の一部を通過させて光学系１１２へと導く偏光ビームスプリッター１５２から構成されている。液晶表示装置１５１は、２次元マトリクス状に配列された複数（例えば、６４０×４８０個）の画素（液晶セル）を備えている。偏光ビームスプリッター１５２は、周知の構成、構造を有する。光源１５３から出射された無偏光の光は、偏光ビームスプリッター１５２に衝突する。偏光ビームスプリッター１５２において、Ｐ偏光成分は通過し、系外に出射される。一方、Ｓ偏光成分は、偏光ビームスプリッター１５２において反射され、液晶表示装置１５１に入射し、液晶表示装置１５１の内部で反射され、液晶表示装置１５１から出射される。ここで、液晶表示装置１５１から出射した光の内、「白」を表示する画素から出射した光にはＰ偏光成分が多く含まれ、「黒」を表示する画素から出射した光にはＳ偏光成分が多く含まれる。従って、液晶表示装置１５１から出射され、偏光ビームスプリッター１５２に衝突する光の内、Ｐ偏光成分は、偏光ビームスプリッター１５２を通過し、光学系１１２へと導かれる。一方、Ｓ偏光成分は、偏光ビームスプリッター１５２において反射され、光源１５３に戻される。光学系１１２は、例えば、凸レンズから構成され、平行光を生成させるために、光学系１１２における焦点距離の所（位置）に画像形成装置１１１（より具体的には、液晶表示装置１５１）が配置されている。
【０１０２】
フレーム１０は、観察者２０の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド（図２には図示せず）が取り付けられている。即ち、フレーム１０及びノーズパッドの組立体は、基本的には、通常の眼鏡と略同じ構造を有する。更には、各筐体１１３が、取付け部材１９によって、着脱自在にテンプル部１３に取り付けられている。フレーム１０は、金属又はプラスチックから作製されている。尚、各筐体１１３は、取付け部材１９によってテンプル部１３に着脱できないように取り付けられていてもよい。また、眼鏡を所有し、装着している観察者に対しては、観察者の所有する眼鏡のフレーム１０のテンプル部１３に、各筐体１１３を取付け部材１９によって着脱自在に取り付けてもよい。各筐体１１３を、テンプル部１３の外側に取り付けてもよいし、テンプル部１３の内側に取り付けてもよい。あるいは又、フロント部１１に備えられたリムに、調光装置７００及び導光板１２１，３２１を嵌め込んでもよいし、調光装置７００を嵌め込んでもよいし、導光板１２１，３２１を嵌め込んでもよい。
【０１０３】
更には、一方の画像形成装置１１１Ａから延びる配線（信号線や電源線等）１５が、テンプル部１３、及び、モダン部１４の内部を介して、モダン部１４の先端部から外部に延び、制御装置（制御回路、制御手段）１８に接続されている。更には、各画像形成装置１１１Ａ，１１１Ｂはヘッドホン部１６を備えており、各画像形成装置１１１Ａ，１１１Ｂから延びるヘッドホン部用配線１６’が、テンプル部１３、及び、モダン部１４の内部を介して、モダン部１４の先端部からヘッドホン部１６へと延びている。ヘッドホン部用配線１６’は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１６’が乱雑に配置されているといった印象を与えることがなく、すっきりとした表示装置とすることができる。
【０１０４】
配線（信号線や電源線等）１５は、上述したとおり、制御装置（制御回路）１８に接続されている。制御装置１８には、例えば、画像情報記憶装置１８Ａが備えられている。そして、制御装置１８において画像表示のための処理がなされる。制御装置１８、画像情報記憶装置１８Ａは周知の回路から構成することができる。
【０１０５】
フロント部１１の中央部分１１’に、ＣＣＤあるいはＣＭＯＳセンサーから成る固体撮像素子とレンズ（これらは図示せず）とから構成された撮像装置１７が、適切な取付部材（図示せず）によって取り付けられている。撮像装置１７からの信号は、撮像装置１７から延びる配線（図示せず）を介して制御装置（制御回路）１８に送出される。
【０１０６】
調光装置７００の動作時、調光装置７００の他の領域７１２の遮光率は、調光装置への虚像の投影像が含まれる調光装置の虚像投影領域の遮光率を「１」としたとき、例えば、０．９５以下である。あるいは又、調光装置の他の領域の遮光率は、例えば、３０％以下である。一方、調光装置７００の動作時、調光装置７００の虚像投影領域７１１の遮光率は、３５％乃至９９％、例えば、８０％とされる。このように、虚像投影領域７１１の遮光率は、一定であってもよいし、後述するように、表示装置の置かれた環境の照度に依存して変化させてもよい。
【０１０７】
実施例１あるいは後述する実施例２〜実施例５、実施例７〜実施例１２において、光学装置１２０，３２０，５２０の画像形成装置１１１，２１１が配された側とは反対側には、外部から入射する外光の光量を調整する調光装置７００が配設されている。具体的には、一種の光シャッタである調光装置７００は、接着剤７０８を用いて、光学装置１２０，３２０，５２０（具体的には、導光板１２１，３２１を保護する保護部材（保護板）１２６，３２６あるいは半透過ミラー５２０）に固定されている。具体的には、調光装置７００の第１基板７０１の外縁部と保護部材１２６の外縁部とは、接着剤７０８によって接着されている。調光装置７００の第１基板７０１を導光板１２１と同形とした。即ち、調光装置７００の大きさは、光学装置１２０，３２０，５２０と同じ大きさとした。但し、これに限定するものではなく、大きくてもよいし、小さくともよく、要は、調光装置７００の射影像内に虚像形成領域（第２偏向手段１４０，３４０等）が位置すればよい。以下に説明する実施例においても同様である。調光装置７００は、観察者２０とは反対側の光学装置１２０，３２０，５２０の領域に配置されている。即ち、観察者側から、光学装置１２０、調光装置７００の順に配されているが、調光装置７００、光学装置１２０，３２０の順に配してもよい。調光装置７００にコネクタ（図示せず）を取り付け、調光装置７００の遮光率を制御するための制御回路（具体的には、制御装置１８）にこのコネクタ及び配線を介して調光装置７００を電気的に接続する。
【０１０８】
保護部材（保護板）１２６，３２６は、接着部材１２７，３２７によって導光板１２１，３２１の第２面１２３，３２３に接着されており、保護部材（保護板）１２６，３２６によって、第１偏向手段１３０，３３０及び第２偏向手段１４０，３４０は被覆されている。
【０１０９】
場合によっては、図６に示すように、保護部材１２６を省略し、調光装置７００の第１基板７０１が保護部材１２６を兼ねる構成としてもよく、これによって、表示装置全体の重量の減少を図ることができ、表示装置の使用者に不快感を感じさせる虞が無い。また、第２基板７０３を第１基板７０１よりも薄くすることができる。以下の実施例においても同様とすることができる。
【０１１０】
実施例１あるいは後述する実施例２〜実施例１２において、調光装置７００は、模式的な断面図を図４Ａに示し、模式的な平面図を図４Ｂに示すように、
第１基板７０１、
第１基板７０１と対向する第２基板７０３、
第２基板７０３と対向する第１基板７０１の対向面に設けられた第１透明電極７０２、
第１基板７０１と対向する第２基板７０３の対向面に設けられた第２透明電極７０４、及び、
第１透明電極７０２と第２透明電極７０４とによって挟まれた調光層７０５、
から成る。そして、
第１透明電極７０２は、第１の方向に延びる複数の帯状の第１透明電極セグメント７０２Ａから構成されており、
第２透明電極７０４は、第１の方向とは異なる第２の方向に延びる複数の帯状の第２透明電極セグメント７０４Ａから構成されており、
第１透明電極セグメント７０２Ａと第２透明電極セグメント７０４Ａの重複領域（調光装置の遮光率が変化する最小単位領域７０９）に対応する調光装置の部分の遮光率の制御は、第１透明電極セグメント７０２Ａ及び第２透明電極セグメント７０４Ａに印加する電圧の制御に基づき行われる。即ち、遮光率の制御を単純マトリクス方式に基づき行われる。第１の方向と第２の方向とは直交しており、具体的には、第１の方向は横方向（Ｘ軸方向）に延び、第２の方向は縦方向（Ｙ軸方向）に延びる。
【０１１１】
第１基板７０１及び第２基板７０３はプラスチック材料から成る。また、第１透明電極７０２及び第２透明電極７０４は、インジウム−スズ複合酸化物（ＩＴＯ）から構成された透明電極から成り、スパッタリング法といったＰＶＤ法とリフトオフ法との組合せに基づき形成されている。第２透明電極７０４と第２基板７０３の間には、ＳｉＮ層、ＳｉＯ2層、Ａｌ2Ｏ3層、ＴｉＯ2層あるいはこれらの積層膜から成る保護層７０６が形成されている。保護層７０６を形成することで、イオンの行き来を阻止するイオン遮断性、防水性、防湿性及び耐傷性を調光装置７００に付与することができる。また、第１基板７０１と第２基板７０３とは、外縁部において、紫外線硬化型エポキシ樹脂や、紫外線と熱とによって硬化するエポキシ樹脂といった紫外線硬化型樹脂、熱硬化型樹脂から成る封止部材７０７によって封止されている。第１透明電極７０２及び第２透明電極７０４は、図示しないコネクタ、配線を介して制御装置１８に接続されている。
【０１１２】
調光装置７００の遮光率（光透過率）は、第１透明電極７０２及び第２透明電極７０４に印加する電圧によって制御することができる。具体的には、例えば、第１透明電極７０２を接地した状態で、第２透明電極７０４に電圧を印加すると、調光層７０５の遮光率が変化する。第１透明電極７０２と第２透明電極７０４との間の電位差を制御してもよいし、第１透明電極７０２に印加する電圧と第２透明電極７０４に印加する電圧とを独立に制御してもよい。
【０１１３】
尚、調光装置７００における虚像形成領域（第２偏向手段１４０，３４０）の横方向の画素数をＭ0、縦方向の画素数をＮ0としたとき、調光装置７００の遮光率が変化する最小単位領域７０９の数Ｍ1×Ｎ1は、例えば、Ｍ0＝Ｍ1，Ｎ0＝Ｎ1である。但し、これに限定するものではなく、Ｍ1／Ｍ0＝ｋ，Ｎ1／Ｎ0＝ｋ’としたとき（但し、ｋ，ｋ’は正の整数）、１．１≦ｋ、好ましくは１．１≦ｋ≦１．５、より好ましくは１．１５≦ｋ≦１．３、１．１≦ｋ’、好ましくは１．１≦ｋ’≦１．５、より好ましくは１．１５≦ｋ’≦１．３を満足する形態とすることができる。ｋの値とｋ’の値とは、同じであってもよいし、異なっていてもよく、実施例においては、ｋ＝ｋ’＝１とした。
【０１１４】
実施例１あるいは後述する実施例２〜実施例９において、調光装置７００は、エレクトロクロミック材料の酸化還元反応によって発生する物質の色変化を応用した光シャッタから成る。具体的には、調光層はエレクトロクロミック材料を含む。より具体的には、調光層は、第２透明電極側から、ＷＯ3層７０５Ａ／Ｔａ2Ｏ5層７０５Ｂ／ＩｒXＳｎ1-XＯ層７０５Ｃの積層構造を有する。ＷＯ3層７０５Ａは還元発色する。また、Ｔａ2Ｏ5層７０５Ｂは固体電解質を構成し、ＩｒXＳｎ1-XＯ層７０５Ｃは酸化発色する。
【０１１５】
ＩｒXＳｎ1-XＯ層中では、ＩｒとＨ2Ｏとが反応して、水酸化イリジウムＩｒ（ＯＨ）nとして存在する。第２透明電極７０４に負の電位を、第１透明電極７０２に正の電位を加えると、ＩｒXＳｎ1-XＯ層からＴａ2Ｏ5層へのプロトンＨ+の移動、第１透明電極７０２への電子放出が生じ、次の酸化反応が進んで、ＩｒXＳｎ1-XＯ層は着色する。
Ｉｒ（ＯＨ）n  →  ＩｒＯX（ＯＨ）n-X（着色）  ＋  Ｘ・Ｈ+  ＋  Ｘ・ｅ-
【０１１６】
一方、Ｔａ2Ｏ5層中のプロトンＨ+がＷＯ3層中へ移動し、第２透明電極７０４から電子がＷＯ3層に注入され、ＷＯ3層では、次の還元反応が進んでＷＯ3層は着色する。
ＷＯ3  ＋  Ｘ・Ｈ+  ＋  Ｘ・ｅ-  →  ＨXＷＯ3（着色）
【０１１７】
これとは逆に、第２透明電極７０４に正の電位を、第１透明電極７０２に負の電位を加えると、ＩｒXＳｎ1-XＯ層では、上記と逆向きに還元反応が進み、消色し、ＷＯ3層では、上記と逆向きに酸化反応が進み、消色する。尚、Ｔａ2Ｏ5層にはＨ2Ｏが含まれており、第１透明電極、第２透明電極に電圧を印加することで電離し、プロトンＨ+、ＯＨ-イオンの状態が含まれ、着色反応及び消色反応に寄与している。
【０１１８】
実施例１あるいは後述する実施例２〜実施例１２において、例えば、図７に示すような外界を、遮光率の低い状態の調光装置７００及び光学装置１２０，３２０，５２０を通して観察者が眺めていたとする。そして、観察者は、例えば、「駅にどうやって行けばよいか」の情報の入手を欲したとする。
【０１１９】
この場合、画像表示装置１００，２００，３００，４００，５００において表示する画像に関する情報やデータ、あるいは又、受信装置が受け取るべき信号は、例えば、所謂クラウドコンピュータやサーバーに記録、保管、保存されており、表示装置が通信手段（送受信装置）、例えば、携帯電話機やスマートフォンを備えることによって、あるいは又、制御装置（制御回路、制御手段）１８に通信手段（受信装置）を組み込むことで、通信手段を介してクラウドコンピュータやサーバーと表示装置との間での各種情報やデータ、信号の授受、交換を行うことができるし、各種情報やデータに基づく信号、即ち、画像表示装置１００，２００，３００，４００，５００において画像を表示するための信号を受け取ることができるし、受信装置は信号を受け取ることができる。
【０１２０】
具体的には、観察者が、携帯電話機やスマートフォンに、入手すべき情報としての「駅に関する情報」を要求する旨の入力を行うと、携帯電話機やスマートフォンは、クラウドコンピュータやサーバーにアクセスし、「駅に関する情報」をクラウドコンピュータやサーバーから入手する。こうして、制御装置１８は、画像表示装置１００，２００，３００，４００，５００において画像を表示するための信号を受け取る。制御装置１８にあっては、この信号に基づいて周知の画像処理を行い、画像形成装置１１１，２１１に「駅に関する情報」を画像として表示する。この「駅に関する情報」を画像は、光学装置１２０，３２０，５２０において、画像形成装置１１１，２１１から出射される光に基づき、制御装置１８によって制御された所定の位置に虚像として表示される。即ち、虚像形成領域（第２偏向手段１４０，３４０）の一部分において虚像が形成される。そして、調光装置７００への虚像の投影像が含まれる調光装置７００の虚像投影領域７１１の遮光率が、調光装置７００の他の領域７１２の遮光率よりも高くなるように、調光装置７００が制御される（図８Ｂ参照）。具体的には、制御装置１８によって、第１透明電極７０２及び第２透明電極７０４に印加される電圧を制御する。ここで、画像形成装置１１１，２１１において画像を表示するための信号に基づき、調光装置７００の虚像投影領域７１１の大きさ及び位置が決定される。
【０１２１】
場合によっては、画像表示装置１００，２００，３００，４００，５００において画像を表示するための信号が、表示装置（具体的には、制御装置１８、より具体的には、画像情報記憶装置１８Ａ）に記憶されていてもよい。
【０１２２】
あるいは又、表示装置に備えられた撮像装置１７によって撮像された画像を通信手段を介してクラウドコンピュータやサーバーに送出し、クラウドコンピュータやサーバーにおいて撮像装置１７によって撮像された画像に該当する各種情報やデータを検索し、検索された各種情報やデータを通信手段を介して表示装置に送出し、検索された各種情報やデータを画像表示装置１００，２００，３００，４００，５００において画像を表示してもよい。また、このような形態と「駅に関する情報」の入力を併用すれば、例えば、観察者のいる場所等や観察者がどの方向を向いているか等の情報を加重することができるので、一層高い精度で、「駅に関する情報」を画像形成装置１１１，２１１において表示することができる。
【０１２３】
画像形成装置１１１，２１１から出射された光に基づき光学装置１２０，３２０，５２０に虚像が形成される（図８Ｂ参照）前に、調光装置７００の虚像投影領域７１１の遮光率が増加される（図８Ａ参照）形態を採用してもよい。調光装置７００の虚像投影領域７１１の遮光率が増加されてから虚像が形成されるまでの時間として、０．５秒乃至３０秒を例示することができるが、この値に限定するものではない。調光装置７００の虚像投影領域７１１の遮光率は、時間の経過に従い、順次、増加する形態とすることができる。
【０１２４】
画像形成装置１１１，２１１から出射された光に基づき光学装置１２０，３２０，５２０に一の虚像が形成され、次いで、一の虚像と異なる次の虚像が形成される場合を想定する。この場合、一の虚像に対応する調光装置７００の虚像投影領域７１１の面積をＳ1、次の虚像に対応する調光装置７００の虚像投影領域７１１の面積をＳ2としたとき、
Ｓ2／Ｓ1＜０．８、又は、１＜Ｓ2／Ｓ1の場合、次の虚像が形成される調光装置７００の虚像投影領域７１１は、調光装置７００への次の虚像の投影像が含まれる調光装置７００の領域であり（図９Ａ、図９Ｂ及び図９Ｃ参照）、
０．８≦Ｓ2／Ｓ1≦１の場合、次の虚像が形成される調光装置７００の虚像投影領域７１１は、調光装置７００への一の虚像の投影像が含まれた調光装置７００の領域である形態とすることができる。即ち、一の虚像の形成から次の虚像の形成において、虚像投影領域の面積が０％減乃至２０％減の場合には、一の虚像に対応した虚像投影領域を保持する形態とすることができる（即ち、図９Ａに示した状態のままとする）。
【０１２５】
また、図１０に示すように、光学装置１２０，３２０，５２０に形成される虚像に外接する仮想矩形１４０Ａ，３４０Ａを想定したとき、調光装置７００の虚像投影領域７１１は、仮想矩形１４０Ａ，３４０Ａよりも大きい構成とすることができる。そして、この場合、光学装置１２０，３２０，５２０に形成される虚像に外接する仮想矩形１４０Ａ，３４０Ａの横方向及び縦方向の長さをＬ1-T及びＬ1-Lとし、調光装置７００の虚像投影領域７１１の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足することが好ましい。尚、図１０においては、虚像として、「ＡＢＣＤ」が形成されている状態を示す。
【０１２６】
調光装置７００は、常時、動作状態にあってもよいし、観察者の指示（操作）によって動作／不動作（オン／オフ）状態が規定されてもよいし、通常は不動作状態にあり、画像表示装置１００，２００，３００，４００，５００において画像を表示するための信号に基づき、動作を開始してもよい。観察者の指示（操作）によって動作／不動作状態を規定するためには、例えば、表示装置はマイクロフォンを更に備えており、マイクロフォンを介した音声入力によって、調光装置７００の動作の制御を行えばよい。具体的には、観察者の肉声に基づく指示によって、調光装置７００の動作／不動作の切替えを制御すればよい。あるいは又、入手すべき情報を音声入力によって入力してもよい。あるいは又、表示装置は、赤外線入出射装置を更に備えており、赤外線入出射装置によって、調光装置７００の動作の制御を行えばよい。具体的には、赤外線入出射装置によって、観察者の瞬きを検出することで、調光装置７００の動作／不動作の切替えを制御すればよい。
【０１２７】
以上のとおり、実施例１の表示装置にあっては、画像形成装置から出射される光に基づき虚像形成領域の一部分において虚像が形成されるとき、調光装置への虚像の投影像が含まれる調光装置の虚像投影領域の遮光率が調光装置の他の領域の遮光率よりも高くなるように調光装置が制御されるので、観察者が観察する虚像に高いコントラストを与えることができ、しかも、高遮光率の領域が調光装置全体ではなく、調光装置への虚像の投影像が含まれる調光装置の虚像投影領域といった狭い領域のみが高遮光率の領域となるので、表示装置を使用する観察者は外部環境を、確実に、且つ、安全に認識することができる。
【実施例２】
【０１２８】
実施例２は、実施例１の変形である。実施例２の表示装置（頭部装着型ディスプレイ）における画像表示装置２００の概念図を図１１に示すように、実施例２において、光学装置は第１−Ａ構造の光学装置であるが、画像形成装置２１１は第２構成の画像形成装置から構成されている。即ち、光源２５１、及び、光源２５１から出射された平行光を走査する走査手段２５３を備えている。より具体的には、画像形成装置２１１は、
光源２５１、
光源２５１から出射された光を平行光とするコリメート光学系２５２、
コリメート光学系２５２から出射された平行光を走査する走査手段２５３、及び、
走査手段２５３によって走査された平行光をリレーし、出射するリレー光学系２５４、
から構成されている。尚、画像形成装置２１１全体が筐体２１３（図１１では、一点鎖線で示す）内に納められており、係る筐体２１３には開口部（図示せず）が設けられており、開口部を介してリレー光学系２５４から光が出射される。そして、各筐体２１３が、取付け部材１９によって、着脱自在に、テンプル部１３に取り付けられている。
【０１２９】
光源２５１は、白色を発光する発光素子から構成されている。そして、光源２５１から出射された光は、全体として正の光学的パワーを持つコリメート光学系２５２に入射し、平行光として出射される。そして、この平行光は、全反射ミラー２５６で反射され、マイクロミラーを二次元方向に回転自在とし、入射した平行光を２次元的に走査することができるＭＥＭＳから成る走査手段２５３によって水平走査及び垂直走査が行われ、一種の２次元画像化され、仮想の画素（画素数は、例えば、実施例１と同じとすることができる）が生成される。そして、仮想の画素からの光は、周知のリレー光学系から構成されたリレー光学系（平行光出射光学系）２５４を通過し、平行光とされた光束が光学装置１２０に入射する。
【０１３０】
リレー光学系２５４にて平行光とされた光束が入射され、導光され、出射される光学装置１２０は、実施例１にて説明した光学装置と同じ構成、構造を有するので、詳細な説明は省略する。また、実施例２の表示装置も、上述したとおり、画像形成装置２１１が異なる点を除き、実質的に、実施例１の表示装置と同じ構成、構造を有するので、詳細な説明は省略する。
【実施例３】
【０１３１】
実施例３も実施例１の変形である。実施例３の表示装置（頭部装着型ディスプレイ）における画像表示装置３００の概念図を図１２に示す。また、反射型体積ホログラム回折格子の一部を拡大して示す模式的な断面図を図１３に示す。実施例３において、画像形成装置１１１は、実施例１と同様に、第１構成の画像形成装置から構成されている。また、光学装置３２０は、第１偏向手段及び第２偏向手段の構成、構造が異なる点を除き、基本的な構成、構造は、実施例１の光学装置１２０と同じであり、第１−Ｂ構造の光学装置から成る。
【０１３２】
実施例３において、第１偏向手段及び第２偏向手段は、導光板３２１の表面（具体的には、導光板３２１の第２面３２３）に配設されている。そして、第１偏向手段は、導光板３２１に入射された光を回折反射し、第２偏向手段は、導光板３２１の内部を全反射により伝播した光を、複数回に亙り、回折反射する。ここで、第１偏向手段及び第２偏向手段は、回折格子素子、具体的には反射型回折格子素子、より具体的には反射型体積ホログラム回折格子から成る。以下の説明において、反射型体積ホログラム回折格子から成る第１偏向手段を、便宜上、『第１回折格子部材３３０』と呼び、反射型体積ホログラム回折格子から成る第２偏向手段を、便宜上、『第２回折格子部材３４０』と呼ぶ。
【０１３３】
そして、実施例３あるいは後述する実施例４において、第１回折格子部材３３０及び第２回折格子部材３４０は、１層の回折格子層が積層されて成る構成を有する。尚、フォトポリマー材料から成る各回折格子層には、１種類の波長帯域（あるいは、波長）に対応する干渉縞が形成されており、従来の方法で作製されている。回折格子層（回折光学素子）に形成された干渉縞のピッチは一定であり、干渉縞は直線状であり、Ｙ軸に平行である。尚、第１回折格子部材３３０及び第２回折格子部材３４０の軸線はＸ軸と平行であり、法線はＺ軸と平行である。
【０１３４】
図１３に反射型体積ホログラム回折格子の拡大した模式的な一部断面図を示す。反射型体積ホログラム回折格子には、傾斜角（スラント角）φを有する干渉縞が形成されている。ここで、傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。
【０１３５】
ｍ・λ＝２・ｄ・ｓｉｎ（Θ）    （Ａ）
Θ＝９０°−（φ＋ψ）          （Ｂ）
【０１３６】
第１回折格子部材３３０は、上述したとおり、導光板３２１の第２面３２３に配設（接着）されており、第１面３２２から導光板３２１に入射されたこの平行光が導光板３２１の内部で全反射されるように、導光板３２１に入射されたこの平行光を回折反射する。更には、第２回折格子部材３４０は、上述したとおり、導光板３２１の第２面３２３に配設（接着）されており、導光板３２１の内部を全反射により伝播したこの平行光を、複数回、回折反射し、導光板３２１から平行光のまま第１面３２２から出射する。
【０１３７】
そして、導光板３２１にあっても、平行光が内部を全反射により伝播した後、出射される。このとき、導光板３２１が薄く導光板３２１の内部を進行する光路が長いため、各画角によって第２回折格子部材３４０に至るまでの全反射回数は異なっている。より詳細に述べれば、導光板３２１に入射する平行光のうち、第２回折格子部材３４０に近づく方向の角度をもって入射する平行光の反射回数は、第２回折格子部材３４０から離れる方向の角度をもって導光板３２１に入射する平行光の反射回数よりも少ない。これは、第１回折格子部材３３０において回折反射される平行光であって、第２回折格子部材３４０に近づく方向の角度をもって導光板３２１に入射する平行光の方が、これと逆方向の角度をもって導光板３２１に入射する平行光よりも、導光板３２１の内部を伝播していく光が導光板３２１の内面と衝突するときの導光板３２１の法線と成す角度が小さくなるからである。また、第２回折格子部材３４０の内部に形成された干渉縞の形状と、第１回折格子部材３３０の内部に形成された干渉縞の形状とは、導光板３２１の軸線に垂直な仮想平面に対して対称な関係にある。第１回折格子部材３３０及び第２回折格子部材３４０の導光板３２１とは対向していない面は、保護部材（保護板）３２６で覆われており、第１回折格子部材３３０及び第２回折格子部材３４０に損傷が生じることを防止している。尚、導光板３２１と保護部材３２６とは、外周部において、接着部材３２７によって接着されている。また、第１面３２２に透明な保護フィルムを貼り合わせ、導光板３２１を保護してもよい。
【０１３８】
後述する実施例４における導光板３２１も、基本的には、以上に説明した導光板３２１の構成、構造と同じ構成、構造を有する。
【０１３９】
実施例３の表示装置は、上述したとおり、光学装置３２０が異なる点を除き、実質的に、実施例１の表示装置と同じ構成、構造を有するので、詳細な説明は省略する。
【実施例４】
【０１４０】
実施例４は、実施例３の変形である。実施例４の表示装置（頭部装着型ディスプレイ）における画像表示装置の概念図を図１４に示す。実施例４の画像表示装置４００における光源２５１、コリメート光学系２５２、走査手段２５３、平行光出射光学系（リレー光学系２５４）等は、実施例２と同じ構成、構造（第２構成の画像形成装置）を有する。また、実施例４における光学装置３２０は、実施例３における光学装置３２０と同じ構成、構造（第１−Ｂ構造の光学装置）を有する。実施例４の表示装置は、以上の相違点を除き、実質的に、実施例２の表示装置と同じ構成、構造を有するので、詳細な説明は省略する。
【実施例５】
【０１４１】
実施例５も、実施例１〜実施例４における画像表示装置の変形である。実施例５の表示装置を正面から眺めた模式図を図１５に示し、上方から眺めた模式図を図１６に示す。
【０１４２】
実施例５において、画像表示装置５００を構成する光学装置５２０は、画像形成装置１１１Ａ，１１１Ｂから出射された光が入射され、観察者２０の瞳２１に向かって出射される半透過ミラーから構成されている。尚、実施例５にあっては、画像形成装置１１１Ａ，１１１Ｂから出射された光は、ガラス板やプラスチック板等の透明な部材５２１の内部を伝播して光学装置５２０（半透過ミラー）に入射する構造としているが、空気中を伝播して光学装置５２０に入射する構造としてもよい。また、画像形成装置は、実施例２において説明した画像形成装置２１１とすることもできる。
【０１４３】
各画像形成装置１１１Ａ，１１１Ｂは、フロント部１１に、例えば、ビスを用いて取り付けられている。また、部材５２１が各画像形成装置１１１Ａ，１１１Ｂに取り付けられ、光学装置５２０（半透過ミラー）が部材５２１に取り付けられ、調光装置７００が光学装置５２０（半透過ミラー）に取り付けられている。実施例５の表示装置は、以上の相違点を除き、実質的に、実施例１〜実施例４の表示装置と同じ構成、構造を有するので、詳細な説明は省略する。
【実施例６】
【０１４４】
実施例６も、実施例１〜実施例４における画像表示装置の変形であるが、第２構造の光学装置、第２構成の画像形成装置に関する。実施例６の表示装置を上方から眺めた模式図を図１７に示す。尚、図１７において撮像装置１７の図示は省略した。
【０１４５】
実施例６において、画像表示装置５００を構成する光学装置５２０は、光源２５１Ａ，２５１Ｂから出射された光が入射され、観察者２０の瞳２１に向かって出射される半透過ミラー５３０Ａ，５３０Ｂから構成されている。尚、実施例６において、筐体２１３内に配置された光源２５１から出射された光は、図示しない光ファイバの内部を伝播して、例えば、ノーズパッド近傍のフレーム１０の部分１１’に取り付けられた走査手段２５３に入射し、走査手段２５３によって走査された光は半透過ミラー５３０Ａ，５３０Ｂに入射する。あるいは又、筐体２１３内に配置された光源２５１Ａ，２５１Ｂから出射された光は、図示しない光ファイバの内部を伝播して、例えば、両眼のそれぞれに対応するフレーム１０の部分の上方に取り付けられた走査手段２５３に入射し、走査手段２５３によって走査された光は半透過ミラー５３０Ａ，５３０Ｂに入射する。あるいは又、筐体２１３内に配置された光源２５１Ａ，２５１Ｂから出射され、筐体２１３内に配置された走査手段２５３に入射し、走査手段２５３によって走査された光は、半透過ミラー５３０Ａ，５３０Ｂに、直接、入射する。そして、半透過ミラー５３０Ａ，５３０Ｂによって反射された光が観察者の瞳に入射する。画像形成装置は、実質的に、実施例２において説明した画像形成装置２１１とすることができる。実施例６の表示装置は、以上の相違点を除き、実質的に、実施例１〜実施例４の表示装置と同じ構成、構造を有するので、詳細な説明は省略する。
【実施例７】
【０１４６】
実施例７は、実施例１の変形である。実施例７の表示装置を上方から眺めた模式図を図１８Ａに示す。また、照度センサを制御する回路の模式図を図１８Ｂに示す。
【０１４７】
実施例７の表示装置は、表示装置の置かれた環境の照度を測定する照度センサ（環境照度測定センサ）７２１を更に備えており、照度センサ（環境照度測定センサ）７２１の測定結果に基づき、調光装置７００の遮光率を制御する。併せて、あるいは、独立して、照度センサ（環境照度測定センサ）７２１の測定結果に基づき、画像形成装置１１１，２１１によって形成される画像の輝度を制御する。周知の構成、構造を有する環境照度測定センサ７２１は、例えば、光学装置１２０，３２０の外側端部や、調光装置７００の外側端部に配置すればよい。環境照度測定センサ７２１は、図示しないコネクタ及び配線を介して制御装置１８に接続されている。制御装置１８には、環境照度測定センサ７２１を制御する回路が含まれる。この環境照度測定センサ７２１を制御する回路は、環境照度測定センサ７２１からの測定値を受け取り、照度を求める照度演算回路、照度演算回路によって求められた照度の値を標準値の比較する比較演算回路、比較演算回路によって求められた値に基づき、調光装置７００及び／又は画像形成装置１１１，２１１を制御する環境照度測定センサ制御回路から構成されているが、これらの回路は周知の回路から構成することができる。調光装置７００の制御にあっては、調光装置７００の遮光率の制御を行い、一方、画像形成装置１１１，２１１の制御にあっては、画像形成装置１１１，２１１によって形成される画像の輝度の制御を行う。尚、調光装置７００における遮光率の制御と画像形成装置１１１，２１１における画像の輝度の制御は、それぞれ、独立して行ってもよいし、相関を付けて行ってもよい。
【０１４８】
例えば、照度センサ（環境照度測定センサ）７２１の測定結果が所定値（第１の照度測定値）以上になったとき、調光装置７００の遮光率を所定の値（第１の遮光率）以上とする。一方、照度センサ（環境照度測定センサ）７２１の測定結果が所定値（第２の照度測定値）以下になったとき、調光装置７００の遮光率を所定の値（第２の遮光率）以下とする。ここで、第１の照度測定値として１０ルクスを挙げることができるし、第１の遮光率として９９％乃至７０％のいずれかの値を挙げることができるし、第２の照度測定値として０．０１ルクスを挙げることができるし、第２の遮光率として４９％乃至１％のいずれかの値を挙げることができる。
【０１４９】
尚、実施例７における照度センサ（環境照度測定センサ）７２１を、実施例２〜実施例６において説明した表示装置に適用することができる。また、表示装置が撮像装置１７を備えている場合、撮像装置１７に備えられた露出測定用の受光素子から照度センサ（環境照度測定センサ）７２１を構成することもできる。
【０１５０】
実施例７あるいは次に述べる実施例８の表示装置にあっては、照度センサ（環境照度測定センサ）の測定結果に基づき、調光装置の遮光率を制御し、また、照度センサ（環境照度測定センサ）の測定結果に基づき、画像形成装置によって形成される画像の輝度を制御し、また、第２の照度センサ（透過光照度測定センサ）の測定結果に基づき、調光装置の遮光率を制御し、また、第２の照度センサ（透過光照度測定センサ）の測定結果に基づき、画像形成装置によって形成される画像の輝度を制御するので、観察者が観察する虚像に高いコントラストを与えることができるだけでなく、表示装置の置かれた周囲の環境の照度に依存して虚像の観察状態の最適化を図ることができる。
【実施例８】
【０１５１】
実施例８も、実施例１の変形である。実施例８の表示装置を上方から眺めた模式図を図１９Ａに示す。また、第２の照度センサを制御する回路の模式図を図１９Ｂに示す。
【０１５２】
実施例８の表示装置は、外部環境から調光装置を透過した光に基づく照度を測定する、即ち、環境光が調光装置を透過して所望の照度まで調整されて入射しているかを測定する第２の照度センサ（透過光照度測定センサ）７２２を更に備えており、第２の照度センサ（透過光照度測定センサ）７２２の測定結果に基づき、調光装置７００の遮光率を制御する。併せて、あるいは、独立して、また、第２の照度センサ（透過光照度測定センサ）７２２の測定結果に基づき、画像形成装置１１１，２１１によって形成される画像の輝度を制御する。周知の構成、構造を有する透過光照度測定センサ７２２は、光学装置１２０，３２０，５２０よりも観察者側に配置されている。具体的には、透過光照度測定センサ７２２は、例えば、筐体１１３，２１３の内側面や、導光板１２１，３２１の観察者側の面に配置すればよい。透過光照度測定センサ７２２は、図示しないコネクタ及び配線を介して制御装置１８に接続されている。制御装置１８には、透過光照度測定センサ７２２を制御する回路が含まれる。この透過光照度測定センサ７２２を制御する回路は、透過光照度測定センサ７２２からの測定値を受け取り、照度を求める照度演算回路、照度演算回路によって求められた照度の値を標準値の比較する比較演算回路、比較演算回路によって求められた値に基づき、調光装置７００及び／又は画像形成装置１１１，２１１を制御する透過光照度測定センサ制御回路から構成されているが、これらの回路は周知の回路から構成することができる。調光装置７００の制御において、調光装置７００の遮光率の制御を行い、一方、画像形成装置１１１，２１１の制御において、画像形成装置１１１，２１１によって形成される画像の輝度の制御を行う。尚、調光装置７００における遮光率の制御と画像形成装置１１１，２１１における画像の輝度の制御は、それぞれ、独立して行ってもよいし、相関を付けて行ってもよい。更に、透過光照度測定センサ７２２の測定結果が環境照度測定センサ７２１の照度から鑑みて所望の照度まで制御できていない場合、即ち、透過光照度測定センサ７２２の測定結果が所望の照度になっていない場合、若しくは、更に一層の微妙な照度調整が望まれる場合には、透過光照度測定センサ７２２の値をモニターしながら調光装置の遮光率を調整すればよい。第２の照度センサ（透過光照度測定センサ）を、少なくとも２つ、配置し、高遮光率の部分を通過した光に基づく照度の測定、低遮光率の部分を通過した光に基づく照度の測定を行ってもよい。
【０１５３】
尚、実施例８における第２の照度センサ（透過光照度測定センサ）７２２を、実施例２〜実施例６において説明した表示装置に適用することができる。あるいは又、実施例８における第２の照度センサ（透過光照度測定センサ）７２２と実施例７における照度センサ（環境照度測定センサ）７２１とを組み合わせてもよく、この場合、種々の試験を行い、調光装置７００における遮光率の制御と画像形成装置１１１，２１１における画像の輝度の制御を、それぞれ、独立して行ってもよいし、相関を付けて行ってもよい。右眼用の調光装置と左眼用の調光装置のそれぞれにおいて、第１透明電極及び第２透明電極に印加する電圧を調整することで、右眼用の調光装置における遮光率及び左眼用の調光装置における遮光率の均等化を図ることができる。第１透明電極と第２透明電極との間の電位差を制御してもよいし、第１透明電極に印加する電圧と第２透明電極に印加する電圧とを独立に制御してもよい。右眼用の調光装置における遮光率及び左眼用の調光装置における遮光率は、例えば、第２の照度センサ（透過光照度測定センサ）７２２の測定結果に基づき、制御することができるし、あるいは又、観察者が、右眼用の調光装置及び光学装置を通過した光の明るさ及び左眼用の調光装置及び光学装置を通過した光の明るさを観察し、観察者が、スイッチやボタン、ダイアル、スライダ、ノブ等を操作することで手動にて制御、調整することもできる。
【実施例９】
【０１５４】
実施例９は、実施例１〜実施例８の変形である。画像表示装置の概念図を図２０に示し、表示装置を上方から眺めた模式図を図２１に示し、側方から眺めた模式図を図２２に示すように、実施例９の表示装置に遮光部材７３１を設けてもよい。具体的には、例えば、画像形成装置１１１Ａ，１１１Ｂから出射された光が入射される光学装置１２０の領域、具体的には、第１偏向手段１３０が設けられた領域に、光学装置１２０への外光の入射を遮光する遮光部材７３１が配されている。ここで、遮光部材７３１の光学装置１２０への射影像内に、画像形成装置１１１Ａ，１１１Ｂから出射された光が入射される光学装置１２０の領域が含まれる。また、遮光部材７３１の光学装置１２０への射影像内に、調光装置７００の端部の光学装置１２０への射影像が含まれる。遮光部材７３１は、光学装置１２０の画像形成装置１１１Ａ，１１１Ｂが配された側とは反対側に、光学装置１２０と離間して配されている。遮光部材７３１は、例えば、不透明なプラスチック材料から作製されており、遮光部材７３１は、画像形成装置１１１Ａ，１１１Ｂの筐体１１３から一体に延び、あるいは又、画像形成装置１１１Ａ，１１１Ｂの筐体１１３に取り付けられ、あるいは又、フレーム１０から一体に延び、あるいは又、フレーム１０に取り付けられている。尚、図示した例では、遮光部材７３１は、画像形成装置１１１Ａ，１１１Ｂの筐体１１３から一体に延びている。このように、画像形成装置から出射された光が入射される光学装置の領域には、光学装置への外光の入射を遮光する遮光部材が配されているので、調光装置の作動によって外光の入射光量に変化が生じても、そもそも、画像形成装置から出射された光が入射される光学装置の領域、具体的には、第１偏向手段１３０には外光が入射しないので、不所望の迷光等が発生し、表示装置における画像表示品質の低下を招くことが無い。尚、図示した例では、調光装置７００の第１基板７０１の大きさを導光板１２１よりも小さくしたが、これに限定するものではない。
【０１５５】
あるいは又、図２３に示すように、遮光部材７３２は、画像形成装置１１１Ａ，１１１Ｂが配された側とは反対側の光学装置１２０の部分に配されている。具体的には、不透明なインクを、光学装置１２０（具体的には、保護部材１２６の内面）に印刷することで、遮光部材７３２を形成することができる。尚、遮光部材７３１との遮光部材７３２とを組み合わせることもできる。遮光部材７３２を、保護部材１２６の外面に形成してもよい。
【０１５６】
あるいは又、概念図を図２４あるいは図２５に示すように、遮光部材７３３は、調光装置７００に配されている。具体的には、不透明なインクを、調光装置７００に印刷することで、遮光部材７３３を形成することができる。尚、図２４に示す例では、遮光部材７３３は、調光装置７００の第１基板７０１の外面に形成されており、図２５に示す例では、遮光部材７３３は、調光装置７００の第１基板７０１の内面に形成されている。尚、遮光部材７３１と遮光部材７３３とを組み合わせることもできるし、遮光部材７３２と遮光部材７３３とを組み合わせることもできるし、遮光部材７３１と遮光部材７３２と遮光部材７３３とを組み合わせることもできる。
【実施例１０】
【０１５７】
実施例１０は、実施例１〜実施例９の変形であり、実施例１０にあっては、調光層を電気泳動分散液から構成した。以下、電気泳動分散液の調製方法を説明する。
【０１５８】
先ず、最初に、電気泳動粒子としてのカーボンブラック（三菱化学株式会社製＃４０）の１０グラムを純水１リットルに加えて攪拌した後、３７質量％の塩酸１ｃｍ3及び４−ビニルアニリン０．２グラムを加えて溶液−Ａを調製した。一方、亜硝酸ナトリウム０．３グラムを純水１０ｃｍ3に溶解させた後、４０゜Ｃまで加熱して、溶液−Ｂを調製した。そして、溶液−Ａに溶液−Ｂをゆっくり加えて、１０時間攪拌した。その後、反応により得られた生成物を遠心分離して固形物を得た。次いで、固形物を純水で洗浄し、更に、アセトン中に分散させた後、遠心分離するといった方法で洗浄した。その後、固形物を、温度５０゜Ｃの真空乾燥機で一晩乾燥させた。
【０１５９】
次いで、窒素パージ装置、電磁攪拌棒及び還流カラムが取り付けられた反応フラスコ中に、固形物５グラムと、トルエン１００ｃｍ3と、メタクリル酸２−エチルヘキシル１５ｃｍ3と、アゾビスイソブチルニトリル（ＡＩＢＮ）０．２グラムとを入れて混合した。そして、攪拌しながら反応フラスコを窒素ガスで３０分間パージした。その後、反応フラスコを油浴に投入し、連続攪拌しながら８０゜Ｃまで徐々に加熱し、この状態を１０時間維持した。その後、室温まで冷却し、固形物を遠心分離し、固形物をテトラヒドロフラン（ＴＨＦ）及び酢酸エチルと一緒に遠心分離するといった操作を３回行って固形物を洗浄した後、固形物を取り出して５０゜Ｃの真空乾燥機で一晩乾燥した。これにより、茶色の電気泳動粒子４．７グラムを得た。
【０１６０】
一方、絶縁性液体である分散液（分散媒）として、Ｎ，Ｎ−ジメチルプロパン−１，３−ジアミン、１，２−ヒドロキシオクタデカン酸及びメトキシスルホニルオキシメタン（日本ルーブリゾール株式会社製ソルスパース１７０００）を０．５％含むと共にソルビタントリオレエート（スパン８５）を１．５％含むアイソパーＧ（エクソンモービル有限会社社製）溶液を準備した。そして、分散媒９．９グラムに電気泳動粒子０．１グラムを加えて、ビーズミルで５分間攪拌した。その後、混合液を遠心分離機（回転速度＝２０００ｒｐｍ）で５分間、遠心分離した後、ビーズを取り除いた。こうして、電気泳動分散液を得ることができた。尚、電気泳動粒子は正に帯電している。
【０１６１】
実施例１０における調光装置７００にあっては、厚さ０．５ｍｍのガラスから成る第１基板７０１及び第２基板７０３の間の間隔を５０μｍとした。第１透明電極７０２及び第２透明電極７０４は、インジウム−スズ複合酸化物（ＩＴＯ）から構成されており、スパッタリング法といったＰＶＤ法とリフトオフ法との組合せに基づき形成されている。第１透明電極７０２は、櫛形電極状にパターニングされている。一方、第２透明電極７０４はパターニングされておらず、所謂ベタ電極である。第１透明電極７０２及び第２透明電極７０４は、図示しないコネクタ、配線を介して制御装置１８に接続されている。
【０１６２】
調光装置７００の遮光率（光透過率）は、第１透明電極７０２及び第２透明電極７０４に印加する電圧によって制御することができる。具体的には、第１透明電極７０２に相対的に正の電圧を印加し、第２透明電極７０４に相対的に負の電圧を印加すると、正に帯電している電気泳動粒子は第２透明電極７０４を覆うように泳動する。従って、調光装置７００における遮光率は高い値となる。一方、これとは逆に、第１透明電極７０２に相対的に負の電圧を印加し、第２透明電極７０４に相対的に正の電圧を印加すると、電気泳動粒子は第１透明電極７０２を覆うように泳動する。従って、調光装置７００における遮光率は低い値となる。第１透明電極７０２及び第２透明電極７０４に印加する電圧は制御装置１８に設けられた制御ノブを観察者が操作することにより行うことができる。即ち、光学装置１２０，３２０からの虚像を観察者が観察し、調光装置７００の遮光率を調整することで、虚像のコントラスト向上を図ればよい。
【実施例１１】
【０１６３】
実施例１１は、実施例１０の変形である。実施例１０にあっては、調光装置７００によって着色される色を、黒色の固定色とした。一方、実施例１１にあっては、調光装置を通過する光は、調光装置によって所望の色に着色され、しかも、調光装置によって着色される色は可変である。具体的には、調光装置は、赤色に着色される調光装置と、黄色に着色される調光装置と、青色に着色される調光装置とが積層されて成る。ここで、赤色に着色される調光装置における電気泳動分散液は、電気泳動粒子として、スチレン系樹脂とＣ．Ｉ．Ｐｉｇｍｅｎｔ Ｒｅｄ １２２とをヘンシェルミキサーにより予備混合した後、二軸押出機で溶融混練し、冷却後、ハンマーミルを用いて粗粉砕し、次いで、ジェットミルを用いて微粉砕した粒子を、Ｎ，Ｎ−ジメチルプロパン−１，３−ジアミン、１，２−ヒドロキシオクタデカン酸及びメトキシスルホニルオキシメタン（日本ルーブリゾール株式会社製ソルスパース１７０００）を０．５％含むと共にソルビタントリオレエート（スパン８５）を１．５％含むアイソパーＧ（エクソンモービル有限会社社製）溶液に分散させて得られた分散液から構成されている。また、黄色に着色される調光装置における電気泳動分散液は、電気泳動粒子として、スチレン系樹脂とＣ．Ｉ．Ｐｉｇｍｅｎｔ Ｙｅｌｌｏｗ  １２とをヘンシェルミキサーにより予備混合した後、二軸押出機で溶融混練し、冷却後、ハンマーミルを用いて粗粉砕し、次いで、ジェットミルを用いて微粉砕した粒子を、Ｎ，Ｎ−ジメチルプロパン−１，３−ジアミン、１，２−ヒドロキシオクタデカン酸及びメトキシスルホニルオキシメタン（日本ルーブリゾール株式会社製ソルスパース１７０００）を０．５％含むと共にソルビタントリオレエート（スパン８５）を１．５％含むアイソパーＧ（エクソンモービル有限会社社製）溶液に分散させて得られた分散液から構成されている。更には、青色に着色される調光装置における電気泳動分散液は、電気泳動粒子として、スチレン系樹脂とＣ．Ｉ．Ｐｉｇｍｅｎｔ Ｂｌｕｅ １とをヘンシェルミキサーにより予備混合した後、二軸押出機で溶融混練し、冷却後、ハンマーミルを用いて粗粉砕し、次いで、ジェットミルを用いて微粉砕した粒子を、Ｎ，Ｎ−ジメチルプロパン−１，３−ジアミン、１，２−ヒドロキシオクタデカン酸及びメトキシスルホニルオキシメタン（日本ルーブリゾール株式会社製ソルスパース１７０００）を０．５％含むと共にソルビタントリオレエート（スパン８５）を１．５％含むアイソパーＧ（エクソンモービル有限会社社製）溶液に分散させて得られた分散液から構成されている。そして、各調光装置における電極への電圧の印加を制御することで、３層の調光装置から出射される外光に所望の色を着色することができる。
【０１６４】
以上の点を除き、実施例１１の表示装置の構成、構造は、実施例１０において説明した表示装置の構成、構造と同様とすることができるので、詳細な説明は省略する。
【実施例１２】
【０１６５】
実施例１２は、本開示の表示装置の初期設定方法に関する。実施例１２における表示装置として、実施例１〜実施例１１において説明した表示装置を用いる。即ち、実施例１２の表示装置の初期設定方法は、例えば、実施例１〜実施例５において説明した表示装置に基づいて説明すると、
（Ａ）観察者２０の頭部に装着されるフレーム１０（例えば、眼鏡型のフレーム１０）、
（Ｂ）フレーム１０に取り付けられた画像表示装置１００，２００，３００，４００，５００、及び、
（Ｃ）外部から入射する外光の光量を調整する調光装置７００、
を備えた表示装置であって、
画像表示装置１００，２００，３００，４００，５００は、
（ａ）画像形成装置１１１，２１１、及び、
（ｂ）画像形成装置１１１，２１１から出射される光に基づき虚像が形成される虚像形成領域を有する光学装置１２０，３２０，５２０、
を備えており、
光学装置１２０，３２０，５２０の虚像形成領域は調光装置７００と重なっており、
画像形成装置１１１，２１１から出射される光に基づき虚像形成領域の一部分において虚像が形成されるとき、調光装置７００への虚像の投影像が含まれる調光装置７００の虚像投影領域７１１の遮光率が、調光装置７００の他の領域７１２の遮光率よりも高くなるように、調光装置７００が制御される表示装置の初期設定方法である。
【０１６６】
例えば、表示装置を使用する観察者が代わった場合、調光装置７００への虚像の投影像が含まれる調光装置７００の虚像投影領域７１１の位置に変化が生じる（図２６Ａ参照）。それ故、実施例１２の表示装置の初期設定方法に基づき、調光装置７００への虚像の投影像が含まれる調光装置７００の虚像投影領域７１１の位置の初期化を確実に行うことができる。
【０１６７】
具体的には、画像形成装置１１１，２１１から出射されたテストパターンに基づきテストパターンの虚像（図２６Ａにおいて、左上から右下に向かうハッチング線で示す）を光学装置１２０，３２０，５２０の虚像形成領域（第２偏向手段１４０，３４０）に表示し、併せて、テストパターンの虚像に対応する調光装置７００の領域７１１Ａの遮光率を、調光装置７００の他の領域７１２の遮光率よりも高い状態とする。ここで、図２６Ａにおいて、仮想の虚像形成面において形成される虚像の位置を「Ａ」で示し、調光装置７００の領域７１１Ａが仮想の虚像形成面に投影されたとしたときの調光装置７００の領域７１１Ａの位置を「Ｂ」で示す。そして、観察者が観察したテストパターンの虚像と、観察者が観察した調光装置７００の遮光率が高い領域７１１Ａとが重なるように、テストパターンの虚像と調光装置７００の遮光率が高い領域とを相対的に移動させる。即ち、虚像の位置「Ａ」と調光装置７００の領域７１１Ａの位置「Ｂ」とが重なるように、テストパターンの虚像と調光装置７００の遮光率が高い領域とを相対的に移動させる。
【０１６８】
テストパターンは本質的に任意の形状を有するが、例えば、図２６Ｂに示すように、光学装置１２０，３２０，５２０の虚像形成領域（第２偏向手段１４０，３４０）の中央部及び四隅に文字（図示した例では、文字「Ａ」、「Ｂ」）を表示する。テストパターンの虚像と調光装置７００の遮光率が高い領域７１１Ａとを相対的に移動させる。具体的には、光学装置１２０，３２０，５２０におけるテストパターンの虚像の位置を画素単位で移動させるように、テストパターンの画像信号を処理する。あるいは又、調光装置７００の遮光率が変化する最小単位領域７０９が移動するように、最小単位領域７０９の位置を変更する処理を行う。あるいは又、これらを組み合わせる。テストパターンの虚像と調光装置７００の遮光率が高い領域７１１Ａとを相対的に移動させるためには、観察者が手動にて行えばよい。具体的には、観察者がスイッチやボタン、ダイアル、スライダ、ノブ等を操作することで手動にて行うことができる。相対的な移動は、Ｘ軸方向への移動、後述するＹ軸方向への移動、回転移動、拡大、縮小、変形とすればよい。尚、図２６Ｂに示した例においては、Ｘ軸方向への拡大を図ればよい。
【０１６９】
尚、テストパターンの虚像と調光装置７００の遮光率が高い領域７１１Ａとを相対的に移動させたときの移動量を基準として、光学装置１２０，３２０，５２０における虚像の形成位置と調光装置７００の虚像投影領域の位置との位置関係を補正すればよい。具体的には、光学装置１２０，３２０，５２０におけるテストパターンの虚像の位置を画素単位で移動させるようにテストパターンの画像信号を処理したときの画像信号処理量に基づき、あるいは、最小単位領域７０９を移動単位として調光装置７００の遮光率が高い領域７１１Ａを移動させる処理に基づき、あるいは、これらの処理の組合せに基づき、光学装置１２０，３２０，５２０における虚像の形成位置と調光装置７００の虚像投影領域７１１の位置との位置関係を補正すればよい。
【０１７０】
尚、このとき、併せて、観察者は、調光装置７００の動作時の調光装置の他の領域７１２の遮光率を決定してもよい。また、併せて、調光装置７００の動作時の調光装置の虚像投影領域７１１の遮光率を決定してもよい。また、光学装置１２０，３２０，５２０に形成される虚像に外接する仮想矩形１４０Ａ，３４０Ａを想定したとき、仮想矩形１４０Ａ，３４０Ａの横方向及び縦方向の長さをＬ1-T及びＬ1-Lとし、調光装置７００の虚像投影領域７１１の形状を、横方向及び縦方向の長さがＬ2-T及びＬ2-Lの矩形形状としたとき、観察者は、併せて、Ｌ2-T／Ｌ1-Tの値及びＬ2-L／Ｌ1-Lを決定してもよい。
【０１７１】
以上、本開示を好ましい実施例に基づき説明したが、本開示はこれらの実施例に限定するものではない。実施例において説明した表示装置（頭部装着型ディスプレイ）、画像表示装置の構成、構造は例示であり、適宜変更することができる。例えば、導光板に表面レリーフ型ホログラム（米国特許第２００４００６２５０５Ａ１参照）を配置してもよい。光学装置３２０にあっては、回折格子素子を透過型回折格子素子から構成することもできるし、あるいは又、第１偏向手段及び第２偏向手段の内のいずれか一方を反射型回折格子素子から構成し、他方を透過型回折格子素子から構成する形態とすることもできる。あるいは又、回折格子素子を、反射型ブレーズド回折格子素子とすることもできる。本開示の表示装置は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。
【０１７２】
実施例においては、画像形成装置１１１，２１１は、単色（例えば、緑色）の画像を表示するとして説明したが、画像形成装置１１１，２１１はカラー画像を表示することもでき、この場合、光源を、例えば、赤色、緑色、青色のそれぞれを出射する光源から構成すればよい。具体的には、例えば、赤色発光素子、緑色発光素子、青色発光素子のそれぞれから出射された赤色光、緑色光及び青色光をライトパイプを用いて混色、輝度均一化を行うことで白色光を得ればよい。
【０１７３】
フレームは、観察者の正面に配置されるフロント部、フロント部の両端に蝶番を介して回動自在に取り付けられた２つのテンプル部、及び、ノーズパッドを備えており；調光装置７００はフロント部に配設されている形態とすることができる。また、光学装置は調光装置７００に取り付けられている形態とすることができる。尚、光学装置は、密着した状態で調光装置７００に取り付けられていてもよいし、隙間を開けた状態で調光装置７００に取り付けられていてもよい。更には、これらの場合、前述したとおり、フロント部はリムを有し；調光装置７００がリムに嵌め込まれている形態とすることができるし、あるいは又、第１基板７０１及び第２基板７０３の少なくとも一方がリムに嵌め込まれている形態とすることができるし、調光装置７００及び導光板１２１，３２１がリムに嵌め込まれている形態とすることができるし、導光板１２１，３２１がリムに嵌め込まれている形態とすることができる。
【０１７４】
調光層７０５を、液晶表示装置から成る光シャッタから構成することもできる。この場合、具体的には、調光層７０５を、例えば、ＴＮ（ツイステッド・ネマチック）型液晶材料やＳＴＮ（スーパー・ツイステッド・ネマチック）型液晶材料から成る液晶材料層から構成することができる。第１透明電極７０２及び第２透明電極７０４はパターニングされており、調光装置７００の一部の領域７１２の遮光率（光透過率）を、他の領域の遮光率とは異なった状態に変化させることができる。あるいは又、第１透明電極７０２及び第２透明電極７０４のいずれか一方をパターニングされていない所謂ベタ電極とし、他方をパターニングし、他方をＴＦＴに接続する。そして、調光装置７００の遮光率が変化する最小単位領域７０９の遮光率の制御をＴＦＴによって行う。即ち、遮光率の制御をアクティブマトリクス方式に基づき行ってもよい。アクティブマトリクス方式に基づく遮光率の制御は、実施例１〜実施例１２において説明した調光装置７００に適用することができることは云うまでもない。
【０１７５】
また、エレクトロウェッティング現象によって遮光率（光透過率）を制御する光シャッタを用いることもできる。具体的には、第１透明電極及び第２透明電極を設け、第１透明電極と第２透明電極との間は、絶縁性の第１の液体、及び、導電性の第２の液体で満たされている構造とする。そして、第１透明電極と第２透明電極との間に電圧を印加することで、第１の液体と第２の液体によって形成される界面の形状が、例えば、平面状から湾曲した状態に変化することで、遮光率（光透過率）を制御することができる。あるいは又、金属（例えば、銀粒子）の可逆的な酸化還元反応によって発生する電着・解離現象に基づく電着方式（エレクトロデポジション・電界析出）を応用した光シャッタを用いることもできる。具体的には、有機溶剤中にＡｇ+及びＩ-を溶解しておき、電極に適切な電圧を印加することで、Ａｇ+を還元してＡｇを析出させることで、調光装置の遮光率（光透過率）を低くし、一方、Ａｇを酸化してＡｇ+として溶解させることで、調光装置の遮光率（光透過率）を高くする。
【０１７６】
場合によっては、調光装置を通過する光を、調光装置によって所望の色に着色する構成とすることができ、この場合、調光装置によって着色される色を可変とすることができる。具体的には、例えば、赤色に着色される調光装置と、緑色に着色される調光装置と、青色に着色される調光装置とを積層すればよい。
【０１７７】
光学装置の光が出射される領域に、調光装置が着脱自在に配設されていてもよい。このように、調光装置を着脱自在に配設するためには、例えば、透明なプラスチックから作製されたビスを用いて調光装置を光学装置に取り付け、調光装置の光透過率を制御するための制御回路（例えば、画像形成装置を制御するための制御装置１８に含まれている）にコネクタ及び配線を介して接続すればよい。
【０１７８】
実施例６において説明した第２構造の光学装置を構成する光学装置の変形例を上から眺めた模式図を、図２７Ａ及び図２７Ｂに示す。尚、図２７Ａ、図２７Ｂ、図２８Ａにおいては、調光装置の図示を省略している。
【０１７９】
図２７Ａに示す例にあっては、光源６０１からの光が導光部材６０２に侵入し、導光部材６０２内に設けられた偏光ビームスプリッター６０３に衝突する。偏光ビームスプリッター６０３に衝突した光源６０１からの光の内、Ｐ偏光成分は偏光ビームスプリッター６０３を通過し、Ｓ偏光成分は、偏光ビームスプリッター６０３によって反射され、ライト・バルブとしてのＬＣＯＳから成る液晶表示装置（ＬＣＤ）６０４に向かう。液晶表示装置（ＬＣＤ）６０４によって画像が形成される。液晶表示装置（ＬＣＤ）６０４によって反射された光の偏光成分はＰ偏光成分が占めるので、液晶表示装置（ＬＣＤ）６０４によって反射された光は、偏光ビームスプリッター６０３，６０５を通過し、１／４波長板６０６を通過し、反射板６０７に衝突して反射され、１／４波長板６０６を通過し、偏光ビームスプリッター６０５に向かう。このときの光の偏光成分はＳ偏光成分が占めるので、偏光ビームスプリッター６０５によって反射され、観察者の瞳２１へと向かう。以上のとおり、画像形成装置は、光源６０１及び液晶表示装置（ＬＣＤ）６０４から構成され、光学装置は、導光部材６０２、偏光ビームスプリッター６０３，６０５、１／４波長板６０６及び反射板６０７から構成され、偏光ビームスプリッター６０５が光学装置の虚像形成領域に相当する。
【０１８０】
図２７Ｂに示す例にあっては、画像形成装置６１１からの光が導光部材６１２を進行し、半透過ミラー６１３に衝突し、一部の光が半透過ミラー６１３を通過し、反射板６１４に衝突して反射され、半透過ミラー６１３に再び衝突し、一部の光が半透過ミラー６１３によって反射され、観察者の瞳２１へと向かう。光学装置は、以上のとおり、導光部材６１２、半透過ミラー６１３及び反射板６１４から構成されており、半透過ミラー６１３が光学装置の虚像形成領域に相当する。
【０１８１】
あるいは又、実施例６の表示装置の別の変形例における光学装置を上から眺めた模式図及び横から眺めた模式図を、図２８Ａ及び図２８Ｂに示す。この光学装置は、６面体のプリズム６２２及び凸レンズ６２５から構成されている。画像形成装置６２１から出射された光は、プリズム６２２に入射し、プリズム面６２３に衝突して反射され、プリズム６２２を進行し、プリズム面６２４に衝突して反射され、凸レンズ６２５を介して観察者の瞳２１に到達する。プリズム面６２３とプリズム面６２４とは、向かい合う方向に傾斜が付けられており、プリズム６２２の平面形状は、台形、具体的には、等脚台形である。プリズム面６２３，６２４にはミラーコーティングが施されている。瞳２１と対向するプリズム６２２の部分の厚さ（高さ）を、人間の平均的な瞳孔径である４ｍｍより薄くすれば、観察者は、外界の像とプリズム６２２からの虚像とを重畳して見ることができる。
【０１８２】
場合によっては、実施例３〜実施例４の表示装置の変形例における画像表示装置の概念図を図２９に示すように、第１偏向手段３３０は、第１のホログラム回折格子３３１及び第２のホログラム回折格子３３２から構成されており、第２偏向手段３４０は、第３のホログラム回折格子３４１から構成されており、
第１のホログラム回折格子３３１は、内部に第１の干渉縞が形成されており、
第２のホログラム回折格子３３２は、内部に第２の干渉縞が形成されており、
第３のホログラム回折格子３４１は、内部に第３の干渉縞が形成されており、
φ1＜φ3＜φ2、及び、Ｐ1＝Ｐ3＝Ｐ2
の関係を満足する形態とすることができる。尚、これらのホログラム回折格子３３１，３３２，３４１は反射型体積ホログラム回折格子から成る。ここで、
φ1：第１の干渉縞のスラント角
φ2：第２の干渉縞のスラント角
φ3：第３の干渉縞のスラント角
Ｐ1：第１の干渉縞のピッチ
Ｐ2：第２の干渉縞のピッチ
Ｐ3：第３の干渉縞のピッチ
である。
【０１８３】
あるいは又、
λ2＜λ3＜λ1
の関係を満足する形態とすることができる。
ここで、
λ1：導光板に入射され、第１のホログラム回折格子によって偏向される光のピーク波長
λ2：導光板に入射され、第２のホログラム回折格子によって偏向される光のピーク波長
λ3：第１のホログラム回折格子及び第２のホログラム回折格子によって偏向され、導光
板の内部を全反射により伝播し、第３のホログラム回折格子によって偏向される光
のピーク波長
である。
【０１８４】
尚、本開示は、以下のような構成を取ることもできる。
［Ａ０１］《表示装置》
（Ａ）観察者の頭部に装着されるフレーム、
（Ｂ）フレームに取り付けられた画像表示装置、及び、
（Ｃ）外部から入射する外光の光量を調整する調光装置、
を備えた表示装置であって、
画像表示装置は、
（ａ）画像形成装置、及び、
（ｂ）画像形成装置から出射される光に基づき虚像が形成される虚像形成領域を有する光学装置、
を備えており、
光学装置の虚像形成領域は、調光装置と重なっており、
画像形成装置から出射される光に基づき、虚像形成領域の一部分において虚像が形成されるとき、調光装置への虚像の投影像が含まれる調光装置の虚像投影領域の遮光率が、調光装置の他の領域の遮光率よりも高くなるように、調光装置が制御される表示装置。
［Ａ０２］調光装置の動作時、調光装置の他の領域の遮光率は、調光装置への虚像の投影像が含まれる調光装置の虚像投影領域の遮光率を「１」としたとき、０．９５以下である［Ａ０１］に記載の表示装置。
［Ａ０３］調光装置の動作時、調光装置の虚像投影領域の遮光率は、３５％乃至９９％である［Ａ０１］又は［Ａ０２］に記載の表示装置。
［Ａ０４］画像形成装置から出射された光に基づき光学装置に虚像が形成される前に、調光装置の虚像投影領域の遮光率が増加される［Ａ０１］乃至［Ａ０３］のいずれか１項に記載の表示装置。
［Ａ０５］画像形成装置から出射された光に基づき光学装置に一の虚像が形成され、次いで、一の虚像と異なる次の虚像が形成されるときであって、一の虚像に対応する調光装置の虚像投影領域の面積をＳ1、次の虚像に対応する調光装置の虚像投影領域の面積をＳ2としたとき、
Ｓ2／Ｓ1＜０．８、又は、１＜Ｓ2／Ｓ1の場合、次の虚像が形成される調光装置の虚像投影領域は、調光装置への次の虚像の投影像が含まれる調光装置の領域であり、
０．８≦Ｓ2／Ｓ1≦１の場合、次の虚像が形成される調光装置の虚像投影領域は、調光装置への一の虚像の投影像が含まれた調光装置の領域である［Ａ０１］乃至［Ａ０４］のいずれか１項に記載の表示装置。
［Ａ０６］光学装置に形成される虚像に外接する仮想矩形を想定したとき、調光装置の虚像投影領域は、仮想矩形よりも大きい［Ａ０１］乃至［Ａ０５］のいずれか１項に記載の表示装置。
［Ａ０７］光学装置に形成される虚像に外接する仮想矩形の横方向及び縦方向の長さをＬ1-T及びＬ1-Lとし、調光装置の虚像投影領域の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足する［Ａ０６］に記載の表示装置。
［Ａ０８］調光装置は、
第１基板、
第１基板と対向する第２基板、
第２基板と対向する第１基板の対向面に設けられた第１透明電極、
第１基板と対向する第２基板の対向面に設けられた第２透明電極、及び、
第１透明電極と第２透明電極とによって挟まれた調光層、
から成る［Ａ０１］乃至［Ａ０７］のいずれか１項に記載の表示装置。
［Ａ０９］第１透明電極は、第１の方向に延びる複数の帯状の第１透明電極セグメントから構成されており、
第２透明電極は、第１の方向とは異なる第２の方向に延びる複数の帯状の第２透明電極セグメントから構成されており、
第１透明電極セグメントと第２透明電極セグメントの重複領域に対応する調光装置の部分の遮光率の制御は、第１透明電極セグメント及び第２透明電極セグメントに印加する電圧の制御に基づき行われる［Ａ０８］に記載の表示装置。
［Ｂ０１］表示装置の置かれた環境の照度を測定する照度センサ（環境照度測定センサ）を更に備えており、
照度センサ（環境照度測定センサ）の測定結果に基づき、調光装置の遮光率を制御する［Ａ０１］乃至［Ａ０９］のいずれか１項に記載の表示装置。
［Ｂ０２］表示装置の置かれた環境の照度を測定する照度センサ（環境照度測定センサ）を更に備えており、
照度センサ（環境照度測定センサ）の測定結果に基づき、画像形成装置によって形成される画像の輝度を制御する［Ａ０１］乃至［Ｂ０１］のいずれか１項に記載の表示装置。
［Ｂ０３］外部環境から調光装置を透過した光に基づく照度を測定する第２の照度センサ（透過光照度測定センサ）を更に備えており、
第２の照度センサ（透過光照度測定センサ）の測定結果に基づき、調光装置の遮光率を制御する［Ａ０１］乃至［Ｂ０２］のいずれか１項に記載の表示装置。
［Ｂ０４］外部環境から調光装置を透過した光に基づく照度を測定する第２の照度センサ（透過光照度測定センサ）を更に備えており、
第２の照度センサ（透過光照度測定センサ）の測定結果に基づき、画像形成装置によって形成される画像の輝度を制御する［Ａ０１］乃至［Ｂ０３］のいずれか１項に記載の表示装置。
［Ｂ０５］第２の照度センサ（透過光照度測定センサ）は、光学装置よりも観察者側に配置されている［Ｂ０３］又は［Ｂ０４］に記載の表示装置。
［Ｂ０６］調光装置を通過する光は、調光装置によって所望の色に着色される［Ａ０１］乃至［Ｂ０５］のいずれか１項に記載の表示装置。
［Ｂ０７］調光装置によって着色される色は可変である［Ｂ０６］に記載の表示装置。
［Ｂ０８］調光装置によって着色される色は固定である［Ｂ０６］に記載の表示装置。
［Ｃ０１］《表示装置の初期設定方法》
（Ａ）観察者の頭部に装着されるフレーム、
（Ｂ）フレームに取り付けられた画像表示装置、及び、
（Ｃ）外部から入射する外光の光量を調整する調光装置、
を備えた表示装置であって、
画像表示装置は、
（ａ）画像形成装置、及び、
（ｂ）画像形成装置から出射される光に基づき虚像が形成される虚像形成領域を有する光学装置、
を備えており、
光学装置の虚像形成領域は、調光装置と重なっており、
画像形成装置から出射される光に基づき、虚像形成領域の一部分において虚像が形成されるとき、調光装置への虚像の投影像が含まれる調光装置の虚像投影領域の遮光率が、調光装置の他の領域の遮光率よりも高くなるように、調光装置が制御される表示装置の初期設定方法であって、
画像形成装置から出射されたテストパターンに基づきテストパターンの虚像を光学装置の虚像形成領域に表示し、併せて、テストパターンの虚像に対応する調光装置の領域の遮光率を、調光装置の他の領域の遮光率よりも高い状態とし、
観察者が観察したテストパターンの虚像と、観察者が観察した調光装置の遮光率が高い領域とが重なるように、テストパターンの虚像と調光装置の遮光率が高い領域とを相対的に移動させる、表示装置の初期設定方法。
［Ｃ０２］テストパターンの虚像と調光装置の遮光率が高い領域とを相対的に移動させたときの移動量を基準として、光学装置における虚像の形成位置と調光装置の虚像投影領域の位置との位置関係を補正する［Ｃ０１］に記載の表示装置の初期設定方法。
［Ｃ０３］併せて、調光装置の動作時の調光装置の他の領域の遮光率を決定する［Ｃ０１］又は［Ｃ０２］に記載の表示装置の初期設定方法。
［Ｃ０４］併せて、調光装置の動作時の調光装置の虚像投影領域の遮光率を決定する［Ｃ０１］乃至［Ｃ０３］のいずれか１項に記載の表示装置の初期設定方法。
［Ｃ０５］光学装置に形成される虚像に外接する仮想矩形を想定したとき、仮想矩形の横方向及び縦方向の長さをＬ1-T及びＬ1-Lとし、調光装置の虚像投影領域の形状を、横方向及び縦方向の長さがＬ2-T及びＬ2-Lの矩形形状としたとき、併せて、Ｌ2-T／Ｌ1-Tの値及びＬ2-L／Ｌ1-Lを決定する［Ｃ０１］乃至［Ｃ０４］のいずれか１項に記載の表示装置の初期設定方法。
【符号の説明】
【０１８５】
１０・・・フレーム、１１・・・フロント部、１１’・・・フロント部の中央部分、１２・・・蝶番、１３・・・テンプル部、１４・・・モダン部、１５・・・配線（信号線や電源線等）、１６・・・ヘッドホン部、１６’・・・ヘッドホン部用配線、１７・・・撮像装置、１８・・・制御装置（制御回路、制御手段）、１８Ａ・・・画像情報記憶装置、１９・・・取付け部材、２０・・・観察者、２１・・・瞳、１００，２００，３００，４００，５００・・・画像表示装置、１１１，１１１Ａ，１１１Ｂ，２１１・・・画像形成装置、１１２・・・光学系（コリメート光学系）、１１３，２１３・・・筐体、１２０，３２０，５２０・・・光学装置、１２１，３２１・・・導光板、１２２，３２２・・・導光板の第１面、１２３，３２３・・・導光板の第２面、１２４，１２５・・・導光板の一部分、１２６，３２６・・・保護部材（保護板）、１２７，３２７・・・接着部材、１３０・・・第１偏向手段、１４０・・・第２偏向手段（虚像形成領域）、１４０Ａ，３４０Ａ・・・光学装置に形成される虚像に外接する仮想矩形、３３０・・・第１偏向手段（第１回折格子部材）、３４０・・・第２偏向手段（第２回折格子部材、虚像形成領域）、１５０・・・反射型空間光変調装置、１５１・・・液晶表示装置（ＬＣＤ）、１５２・・・偏光ビームスプリッター（ＰＢＳ）、１５３・・・光源、２５１，２５１Ａ，２５１Ｂ・・・光源、２５２・・・コリメート光学系、２５３・・・走査手段、２５４・・・光学系（リレー光学系）、２５６・・・全反射ミラー、５２１・・・透明な部材、５３０Ａ，５３０Ｂ・・・半透過ミラー、６０１・・・光源、６０２・・・導光部材、６０３，６０５・・・偏光ビームスプリッター、６０４・・・液晶表示装置、６０６・・・１／４波長板、６０７・・・反射板、６１１・・・画像形成装置、６１２・・・導光部材、６１３・・・半透過ミラー、６１４・・・反射板、６２１・・・画像形成装置、６２２・・・プリズム、６２３，６２４・・・プリズム面、６２５・・・凸レンズ、７００・・・調光装置、７０１・・・第１基板、７０２・・・第１透明電極、７０２Ａ・・・第１透明電極セグメント、７０３・・・第２基板、７０４・・・第２透明電極、７０４Ａ・・・第２透明電極セグメント、７０５・・・調光層、７０５Ａ・・・ＷＯ3層、７０５Ｂ・・・Ｔａ2Ｏ5層、７０５Ｃ・・・ＩｒXＳｎ1-XＯ層、７０６・・・保護層、７０７・・・封止部材、７０８・・・接着剤、７０９・・・調光装置の遮光率が変化する最小単位領域、７１１・・・調光装置の虚像投影領域、７１１Ａ・・・テストパターンの虚像に対応する調光装置の領域、７１２・・・調光装置の他の領域、７２１・・・照度センサ（環境照度測定センサ）、７２２・・・第２の照度センサ（透過光照度測定センサ）、７３１，７３２，７３３・・・遮光部材
【図１】
2020160459.tif 000003
【図２】
2020160459.tif 000004
【図３】
2020160459.tif 000005
【図４】
2020160459.tif 000006
【図５】
2020160459.tif 000007
【図６】
2020160459.tif 000008
【図７】
2020160459.tif 000009
【図８】
2020160459.tif 000010
【図９】
2020160459.tif 000011
【図１０】
2020160459.tif 000012
【図１１】
2020160459.tif 000013
【図１２】
2020160459.tif 000014
【図１３】
2020160459.tif 000015
【図１４】
2020160459.tif 000016
【図１５】
2020160459.tif 000017
【図１６】
2020160459.tif 000018
【図１７】
2020160459.tif 000019
【図１８】
2020160459.tif 000020
【図１９】
2020160459.tif 000021
【図２０】
2020160459.tif 000022
【図２１】
2020160459.tif 000023
【図２２】
2020160459.tif 000024
【図２３】
2020160459.tif 000025
【図２４】
2020160459.tif 000026
【図２５】
2020160459.tif 000027
【図２６】
2020160459.tif 000028
【図２７】
2020160459.tif 000029
【図２８】
2020160459.tif 000030
【図２９】
2020160459.tif 000031
【図３０】
2020160459.tif 000032
【図３１】
2020160459.tif 000033